(57)【要約】【課題】  対戦する各キャラクタにそれぞれ選択可能な作戦と成功確率とを関連付けることで自己キャラクタに指示した作戦が成功するか否かを確率で決定するようにした高いゲーム性を持たせる。【解決手段】  自己キャラクタが行う各種の自己側作戦とその各成功確率とを関連付けて記憶するＲＯＭ３００１と、自己キャラクタに実行させる自己側作戦の選択を行う操作部１０Ａと、操作部１０Ａで選択された自己側作戦と、該自己側作戦の選択に対応して設定され、各自己側作戦に対抗する相手キャラクタの複数の相手側作戦であってそれぞれ成功確率が対応付けられた相手側作戦とから両作戦の成功確率に基づいて、自己キャラクタの実行する自己側作戦が成功するか否かを決定する決定部３０７とを備える。【選択図】      図６
2006280659.tif 000002
【特許請求の範囲】
【請求項１】
画像表示制御手段により表示器に自己キャラクタと相手キャラクタとを表示させ、自己キャラクタに対してプレーヤからの指示に応じた対戦のための作戦を実行させることによって所定のルールに従った優劣結果を得るゲーム装置において、
自己キャラクタが行う各種の自己側作戦と各自己側作戦が成功する成功確率とを関連付けて記憶する第1の記憶手段と、自己キャラクタに実行させる自己側作戦の選択を行うための操作部と、前記操作部で選択された自己側作戦と、該自己側作戦の選択に対応して設定され、前記各自己側作戦に対抗する相手キャラクタの複数の相手側作戦であってそれぞれ成功確率が対応付けられた相手側作戦とから両作戦の成功確率に基づいて、自己キャラクタの実行する自己側作戦が成功するか否かを決定する決定手段とを備えることを特徴とするゲーム装置。
【請求項２】
相手キャラクタが実行する各種の相手側作戦と各相手側作戦が成功する成功確率とを関連付けて記憶する第２の記憶手段と、相手キャラクタの実行する相手側作戦を第２の記憶手段から選択的に設定するコンピュータで構成される相手側作戦設定手段とを備えることを特徴とする請求項１記載のゲーム装置。
【請求項３】
相手キャラクタは他のゲーム装置に設定され、前記他のゲーム装置は、前記相手キャラクタのための、前記第1の記憶手段、前記操作部及び決定手段に対応する構成を備えており、各ゲーム装置は互いに通信部を介して接続されて、各表示器に前記自己側作戦及び相手側作戦が実行される同事象の画像が表示されることを特徴とする請求項１記載のゲーム装置。
【請求項４】
前記決定手段は、擬似乱数を発生する乱数発生手段を備え、前記操作部で選択された自己側作戦に対応する成功確率と前記相手キャラクタの相手側作戦に対応付けられた成功確率とを前記擬似乱数を利用して、自己キャラクタの実行する自己側作戦が成功するか否かを決定することを特徴とする請求項１〜３のいずれかに記載のゲーム装置。
【請求項５】
前記自己側作戦及び相手側作戦の実行が１のシーケンスを構成するとともに、前記ゲームは複数のシーケンスの連続で形成され、前記所定のルールは各シーケンスの結果の履歴によってゲームの優劣結果を決めるものであることを特徴とする請求項１〜４のいずれかに記載のゲーム装置。
【請求項６】
前記シーケンスの履歴からゲーム状況を判断するゲーム状況判断手段と、前記ゲームの状況に応じて前記自己側作戦及び相手側作戦の各成功確率の少なくとも一方を増減させるパラメータを記憶するパラメータ記憶手段とを備え、前記決定手段は、前記ゲーム状況判断手段からの判断結果に応じた前記パラメータで前記自己側作戦及び相手側作戦の各成功確率のうち変更対象の成功確率を変更することを特徴とする請求項５記載のゲーム装置。
【請求項７】
前記操作部で選択可能な自己側作戦の項目を設定する作戦項目設定手段を備え、前記画像表示制御手段は、前記表示器に作戦項目設定手段で設定された自己側作戦の項目を表示するもので、前記作戦項目設定手段は、現在までの各シーケンスの結果の履歴に応じて自己側作戦の項目をシーケンス毎に設定することを特徴とする請求項５又は６記載のゲーム装置。
【請求項８】
前記操作部で選択可能な自己側作戦の項目を設定する作戦項目設定手段と、自己キャラクタに設定されている能力を記憶する能力記憶手段とを備え、前記画像表示制御手段は、前記表示器に作戦項目設定手段で設定された自己側作戦の項目を表示するもので、前記作戦項目設定手段は、自己キャラクタの能力に応じて自己側作戦の項目をシーケンス毎に設定することを特徴とする請求項５又は６記載のゲーム装置。
【請求項９】
前記作戦項目設定手段は、前記表示器に自己側作戦の項目を表示すると共に、前記表示器に表示された自己側作戦の項目に対応する成功確率と、前記表示器に表示された自己側作戦の項目と一致する相手キャラクタの相手側作戦の項目の成功確率とを表示することを特徴とする請求項７又は８記載のゲーム装置。
【請求項１０】
ゲームは野球を模擬したゲームであり、自己キャラクタが投手を模擬したキャラクタの場合、前記作戦項目設定手段は、自己キャラクタが投げるボールを模擬したボールキャラクタの球種の項目を設定することを特徴とする請求項７〜９のいずれかに記載のゲーム装置。
【請求項１１】
ゲームは野球を模擬したゲームであり、自己キャラクタが打者を模擬したキャラクタの場合、前記作戦項目設定手段は、前記自己キャラクタが所持するバットを模擬したバットキャラクタの前記球種に対応したスイングの方法の項目を設定することを特徴とする請求項７〜９のいずれかに記載のゲーム装置。
【請求項１２】
画像表示制御手段により表示器に自己キャラクタと相手キャラクタとを表示させ、自己側作戦の選択を行うための操作部を介してプレーヤからの指示に応じた対戦のための作戦を実行させることによって所定のルールに従った優劣結果を得るようにコンピュータに実行させるゲーム装置のゲーム実行制御プログラムであって、
前記コンピュータを、自己キャラクタが行う各種の自己側作戦と各自己側作戦が成功する成功確率とを関連付けて第1の記憶手段に記憶する記憶制御手段と、前記操作部で選択された自己側作戦と、該自己側作戦の選択に対応して設定され、前記各自己側作戦に対抗する相手キャラクタの複数の相手側作戦であってそれぞれ成功確率が対応付けられた相手側作戦とから両作戦の成功確率に基づいて、自己キャラクタの実行する自己側作戦が成功するか否かを決定する決定手段として機能させることを特徴とするゲーム実行制御プログラム。
【請求項１３】
画像表示制御手段により表示器に自己キャラクタと相手キャラクタとを表示させ、自己側作戦の選択を行うための操作部を介してプレーヤからの指示に応じた対戦のための作戦を実行させることによって所定のルールに従った優劣結果を得るようにコンピュータに実行させるゲーム装置のゲーム実行制御方法であって、
記憶制御手段が、自己キャラクタが行う各種の自己側作戦と各自己側作戦が成功する成功確率とを関連付けて第1の記憶手段に記憶し、決定手段が、前記操作部で選択された自己側作戦と、該自己側作戦の選択に対応して設定され、前記各自己側作戦に対抗する相手キャラクタの複数の相手側作戦であってそれぞれ成功確率が対応付けられた相手側作戦とから両作戦の成功確率に基づいて、自己キャラクタの実行する自己側作戦が成功するか否かを決定することを特徴とするゲーム実行制御方法。
【発明の詳細な説明】
【技術分野】
【０００１】
本発明は、画像表示制御手段により表示器に自己キャラクタと相手キャラクタとを表示させ、自己キャラクタに対してプレーヤからの指示に応じた対戦のための作戦を実行させることによって所定のルールに従った優劣結果を得るゲーム装置、ゲーム実行制御技術に関する。
【背景技術】
【０００２】
特許文献１には、裏面に固有のデータが書き込まれた複数の選手カードの中から、チームを構成するべく選択的に所要枚数分だけプレイフィールド上に載置し、載置された各選手カードのデータをイメージセンサによって読み取り、読み取ったデータに応じたゲーム画像を生成して表示器に導いて表示するようにしたカードゲーム装置が提案されている。このカードゲーム装置では、プレイフィールド上で各選手カードの配置を変えることにより、対応する各選手のポジションやフォーメーションの変更が指示できるようにされており、これによってチームとしての競技レベルが変わることで、より変化に富んだゲームが実現し得るようになされている。
【特許文献１】特開２００２−３０１２６４号公報
【発明の開示】
【発明が解決しようとする課題】
【０００３】
特許文献１記載のカードゲーム装置では、各カード載置領域に対応するポジションに合ったキャラクタ（選手）を配置させることにより、チームの競技レベルを自由に設定することが可能になるものである。すなわち、各選手カードをプレイフィールド上のどの位置に配置するかで、それに対応して各選手のポジションやフォーメーションの変更が指示されるだけであり、かつ指示がそのままゲームに反映されるものであることから、意外性、相手チームとの駆け引き性というゲーム性の点で一定の限界がある。
【０００４】
本発明は上記に鑑みてなされたもので、対戦する自己キャラクタと相手キャラクタとに対してそれぞれ選択可能な作戦と成功確率とを関連付け、各キャラクタに対して指示された作戦の成功確率に基づいて、自己キャラクタに指示した作戦が成功するか否かを決定して高いゲーム性を持たせたゲーム装置、ゲーム実行制御方法及びそのプログラムを提供することを目的とするものである。
【課題を解決するための手段】
【０００５】
請求項１記載の発明は、画像表示制御手段により表示器に自己キャラクタと相手キャラクタとを表示させ、自己キャラクタに対してプレーヤからの指示に応じた対戦のための作戦を実行させることによって所定のルールに従った優劣結果を得るゲーム装置において、自己キャラクタが行う各種の自己側作戦と各自己側作戦が成功する成功確率とを関連付けて記憶する第1の記憶手段と、自己キャラクタに実行させる自己側作戦の選択を行うための操作部と、前記操作部で選択された自己側作戦と、該自己側作戦の選択に対応して設定され、前記各自己側作戦に対抗する相手キャラクタの複数の相手側作戦であってそれぞれ成功確率が対応付けられた相手側作戦とから両作戦の成功確率に基づいて、自己キャラクタの実行する自己側作戦が成功するか否かを決定する決定手段とを備えることを特徴とするものである。
【０００６】
請求項１２記載の発明は、画像表示制御手段により表示器に自己キャラクタと相手キャラクタとを表示させ、自己側作戦の選択を行うための操作部を介してプレーヤからの指示に応じた対戦のための作戦を実行させることによって所定のルールに従った優劣結果を得るようにコンピュータに実行させるゲーム装置のゲーム実行制御プログラムであって、前記コンピュータを、自己キャラクタが行う各種の自己側作戦と各自己側作戦が成功する成功確率とを関連付けて第1の記憶手段に記憶する記憶制御手段と、前記操作部で選択された自己側作戦と、該自己側作戦の選択に対応して設定され、前記各自己側作戦に対抗する相手キャラクタの複数の相手側作戦であってそれぞれ成功確率が対応付けられた相手側作戦とから両作戦の成功確率に基づいて、自己キャラクタの実行する自己側作戦が成功するか否かを決定する決定手段として機能させることを特徴とするものである。
【０００７】
請求項１３記載の発明は、画像表示制御手段により表示器に自己キャラクタと相手キャラクタとを表示させ、自己側作戦の選択を行うための操作部を介してプレーヤからの指示に応じた対戦のための作戦を実行させることによって所定のルールに従った優劣結果を得るようにコンピュータに実行させるゲーム装置のゲーム実行制御方法であって、記憶制御手段が、自己キャラクタが行う各種の自己側作戦と各自己側作戦が成功する成功確率とを関連付けて第1の記憶手段に記憶し、決定手段が、前記操作部で選択された自己側作戦と、該自己側作戦の選択に対応して設定され、前記各自己側作戦に対抗する相手キャラクタの複数の相手側作戦であってそれぞれ成功確率が対応付けられた相手側作戦とから両作戦の成功確率に基づいて、自己キャラクタの実行する自己側作戦が成功するか否かを決定することを特徴とするものである。
【０００８】
これらの発明によれば、表示器に自己キャラクタと相手キャラクタの画像が表示され、これらのキャラクタを通して対戦ゲーム、すなわち自己側作戦の選択を行うための操作部を介してプレーヤからの指示に応じた対戦のための作戦を実行させることによって所定のルールに従った優劣結果が得られる。すなわち、自己キャラクタが行う各種の自己側作戦と各自己側作戦が成功する成功確率とを関連付けて第1の記憶手段に記憶されており、一方、自己側作戦の選択に対応して、前記各自己側作戦に対抗する相手キャラクタの複数の相手側作戦であってそれぞれ成功確率が対応付けられた相手側作戦が設定されると、決定手段によって、自己側作戦と相手側作戦の双方の成功確率に基づいて自己キャラクタが実行する自己側作戦が成功するか否かが決定される。従ってプレーヤが指示した作戦通りのゲーム実行結果になる保証がないため、意外性の高いゲームが提供可能となる。
【０００９】
請求項２記載の発明は、請求項１記載のゲーム装置において、相手キャラクタが実行する各種の相手側作戦と各相手側作戦が成功する成功確率とを関連付けて記憶する第２の記憶手段と、相手キャラクタの実行する相手側作戦を第２の記憶手段から選択的に設定するコンピュータで構成される相手側作戦設定手段とを備えることを特徴とするものである。この構成によれば、１台のゲーム装置の中で、自己キャラクタへの作戦指示に対し、相手キャラクタの作戦がコンピュータによって設定されるので、プレーヤは１人でも本ゲームを行うことが可能となる。
【００１０】
請求項３記載の発明は、請求項１記載のゲーム装置において、相手キャラクタは他のゲーム装置に設定され、前記他のゲーム装置は、前記相手キャラクタのための、前記第1の記憶手段、前記操作部及び決定手段に対応する構成を備えており、各ゲーム装置は互いに通信部を介して接続されて、各表示器において前記自己側作戦及び相手側作戦が実行される同事象の画像が表示されることを特徴とするものである。この構成によれば、本ゲーム装置と他のゲーム装置の表示器に表示されるそれぞれのキャラクタに対して作戦の指示がされ、それらの作戦指示情報が通信部を介して各ゲーム装置に送信されるので、各ゲーム装置を介して２人のプレーヤで本ゲームを行うことが可能となる。
【００１１】
請求項４記載の発明は、請求項１〜３のいずれかに記載のゲーム装置において、前記決定手段は、擬似乱数を発生する乱数発生手段を備え、前記操作部で選択された自己側作戦に対応する成功確率と前記相手キャラクタの相手側作戦に対応付けられた成功確率とを前記擬似乱数を利用して、自己キャラクタの実行する自己側作戦が成功するか否かを決定することを特徴とするものである。この構成によれば、操作部で選択された自己側作戦に対応する成功確率と前記相手キャラクタの相手側作戦に対応付けられた成功確率とに対してそれぞれ擬似乱数を利用して成功確率が算出され、自己キャラクタに指示した自己側作戦が成功するか否かが決定される。
【００１２】
請求項５記載の発明は、請求項１〜４のいずれかに記載のゲーム装置において、前記自己側作戦及び相手側作戦の実行が１のシーケンスを構成するとともに、前記ゲームは複数のシーケンスの連続で形成され、前記所定のルールは各シーケンスの結果の履歴によってゲームの優劣結果を決めるものであることを特徴とするものである。この構成によれば、プレーヤによって自己キャラクタ、相手キャラクタに指示した作戦の行動を行わせる毎に１つのシーケンスが実行され、かかるシーケンスが複数回連続して実行されることでゲームが終了する。各シーケンスが実行されたときの各履歴によって、ゲームの優劣結果が得られる。これにより、複数回のシーケンスの実行によってゲーム結果が得られるので、ゲーム性が高まる。
【００１３】
請求項６記載の発明は、請求項５記載のゲーム装置において、前記シーケンスの履歴からゲーム状況を判断するゲーム状況判断手段と、前記ゲームの状況に応じて前記自己側作戦及び相手側作戦の各成功確率の少なくとも一方を増減させるパラメータを記憶するパラメータ記憶手段とを備え、前記決定手段は、前記ゲーム状況判断手段からの判断結果に応じた前記パラメータで前記自己側作戦及び相手側作戦の各成功確率のうち変更対象の成功確率を変更することを特徴とするものである。この構成によれば、ゲームの状況に応じて自己側作戦及び相手側作戦の各成功確率のうち変更対象の成功確率が変更される。これにより、プレーヤに意外性と予測性を付与するゲームの提供が可能となる。
【００１４】
請求項７記載の発明は、請求項５又は６記載のゲーム装置において、前記操作部で選択可能な自己側作戦の項目を設定する作戦項目設定手段を備え、前記画像表示制御手段は、前記表示器に作戦項目設定手段で設定された自己側作戦の項目を表示するもので、前記作戦項目設定手段は、現在までの各シーケンスの結果の履歴に応じて自己側作戦の項目をシーケンス毎に設定することを特徴とするものである。この構成によれば、作戦項目設定手段によって、操作部で選択可能な自己側作戦の項目が現在までの各シーケンスの結果の履歴に応じてシーケンス毎に設定される。そして、設定された自己側作戦の項目が表示器に表示される。従って、シーケンス毎に、選択可能な自己側作戦が変更される可能性も有り、より高いゲーム性が実現可能となる。
【００１５】
請求項８記載の発明は、請求項５又は６記載のゲーム装置において、前記操作部で選択可能な自己側作戦の項目を設定する作戦項目設定手段と、自己キャラクタに設定されている能力を記憶する能力記憶手段とを備え、前記画像表示制御手段は、前記表示器に作戦項目設定手段で設定された自己側作戦の項目を表示するもので、前記作戦項目設定手段は、自己キャラクタの能力に応じて自己側作戦の項目をシーケンス毎に設定することを特徴とするものである。この構成によれば、作戦項目設定手段によって、操作部で選択可能な自己側作戦の項目が自己キャラクタの能力に応じてシーケンス毎に設定される。そして、設定された自己側作戦の項目が表示器に表示される。従って、シーケンス毎に、選択可能な自己側作戦が変更される可能性も有り、より高いゲーム性が実現可能となる。
【００１６】
請求項９記載の発明は、請求項７又は８記載のゲーム装置において、前記作戦項目設定手段は、前記表示器に自己側作戦の項目を表示すると共に、前記表示器に表示された自己側作戦の項目に対応する成功確率と、前記表示器に表示された自己側作戦の項目と一致する相手キャラクタの相手側作戦の項目の成功確率とを表示することを特徴とするものである。この構成によれば、自己側作戦の項目と、自己側作戦の項目に対応する成功確率と、自己側作戦の項目と一致する相手キャラクタの相手側作戦の項目の成功確率とが表示されるので、プレーヤは、互いの成功確率が確認でき、作戦選択の駆け引きを誘導するようなゲームが提供可能となる。
【００１７】
請求項１０記載の発明は、請求項７〜９のいずれかに記載のゲーム装置において、ゲームは野球を模擬したゲームであり、自己キャラクタが投手を模擬したキャラクタの場合、前記作戦項目設定手段は、自己キャラクタが投げるボールを模擬したボールキャラクタの球種の項目を設定することを特徴とするものである。この構成によれば、本ゲームが野球ゲームに適用され、自己キャラクタが投手を模擬したキャラクタの場合には、前記作戦項目設定手段によって、自己キャラクタが投げるボールを模擬したボールキャラクタの球種の項目が設定される。これにより、ボールキャラクタの球種の変更が可能となる。
【００１８】
請求項１１記載の発明は、請求項７〜９のいずれかに記載のゲーム装置において、ゲームは野球を模擬したゲームであり、自己キャラクタが打者を模擬したキャラクタの場合、前記作戦項目設定手段は、前記自己キャラクタが所持するバットを模擬したバットキャラクタの前記球種に対応したスイングの方法の項目を設定することを特徴とするものである。この構成によれば、本ゲームが野球ゲームに適用され、自己キャラクタが打者を模擬したキャラクタの場合、前記作戦項目設定手段によって、自己キャラクタが所持するバットを模擬したバットキャラクタの前記球種に対応したスイングの方法の項目が設定される。これにより、バットキャラクタのスイング位置等のスイング方法の変更が可能となる。
【発明の効果】
【００１９】
請求項１記載の発明によれば、プレーヤが指示した作戦通りのゲーム実行結果になる保証がないため、意外性の高いゲームが提供できる。
【００２０】
請求項２記載の発明によれば、１台のゲーム装置の中で、自己キャラクタへの作戦指示に対し、相手キャラクタの作戦をコンピュータによって設定するようにしたので、プレーヤは１人でも本ゲームを行うことができる。
【００２１】
請求項３記載の発明によれば、本ゲーム装置と他のゲーム装置の表示器に表示されるそれぞれのキャラクタに対して作戦の指示をさせ、それらの作戦指示情報を通信部を介して各ゲーム装置に送信するので、各ゲーム装置を介して２人のプレーヤで本ゲームを行うことができる。
【００２２】
請求項４記載の発明によれば、操作部で選択された自己側作戦に対応する成功確率と前記相手キャラクタの相手側作戦に対応付けられた成功確率とに対してそれぞれ擬似乱数を利用して成功確率を算出して、自己キャラクタに指示した自己側作戦が成功するか否かを決定するので、プレーヤが指示した作戦通りのゲーム実行結果になる保証がないため、意外性の高いゲームが提供できる。
【００２３】
請求項５記載の発明によれば、複数回のシーケンスの実行によってゲーム結果が得られるので、ゲーム性が高めることができる。
【００２４】
請求項６記載の発明によれば、プレーヤに意外性と予測性を付与するゲームを提供できる。
【００２５】
請求項７記載の発明によれば、シーケンス毎に、選択可能な自己側作戦が変更される可能性も有り、より高いゲーム性が実現できる。
【００２６】
請求項８記載の発明によれば、シーケンス毎に、選択可能な自己側作戦が変更される可能性も有り、より高いゲーム性が実現できる。
【００２７】
請求項９記載の発明によれば、プレーヤに対し、互いの成功確率が確認でき、作戦選択の駆け引きを誘導するようなゲームを提供できる。
【００２８】
請求項１０記載の発明によれば、本ゲームを野球ゲームに適用でき、しかも自己キャラクタが投手の場合に、ボールキャラクタの球種の変更を可能とすることができる。
【００２９】
請求項１１記載の発明によれば、本ゲームを野球ゲームに適用でき、しかも自己キャラクタが打者の場合に、バットキャラクタのスイング位置等のスイング方法の変更を可能とすることができる。
【発明を実施するための最良の形態】
【００３０】
図１は、本発明に係るゲーム装置の一実施形態を示す外観構成図である。本ゲーム装置は、所定の立体構造、例えば略直方体形状の筐体１を備え、前面側の略中央に遊技者であるプレーヤが所定形状の選手カードを載置する載置面２０（図２参照）を有するカード載置部２が形成され、その上部にゲーム画像の表示を行うＣＲＴ表示器、液晶表示器等のモニタ３が立設され、モニタ３の左右には音声出力や効果音の演出を行うスピーカ４１，４２が配設されている。また、左右のスピーカ４１，４２の一方、ここでは右側のスピーカ４１の上部には個人カードの挿入口５が設けられ、左側のスピーカ４２の上部には後述する選手カードの発行口６が設けられている。個人カード挿入口５、選手カード発行口６の上部には電飾効果を演出する発光部７１，７２がそれぞれ配設されている。なお、載置部２の所定位置には、ゲームの開始条件としてのコインの投入をガイドするコイン投入口８が形成されている。
【００３１】
図２は、カード載置部２の構成を示す斜視図の一例である。カード載置部２は、上面側が所定形状、ここでは四角形の形状をなし、水平かつ平面状とされている。本ゲーム装置は、本実施形態では、野球ゲームを想定しており、従ってカード載置部２には野球場のフィールドを模擬した絵が描画されている。なお、選手カード９は、図３（ａ）に示すように、所定形状を有するものが採用可能であり、本実施形態では、長方形をしたものを採用している。カード載置部２には、左右方向に所定間隔でカードを載置するための載置面２０が複数、本実施形態では１０枚のカードが載置可能なように準備されている。載置面２０は選手カード９の幅寸法に対応して形成されており、左右側には、選手カード９を載置位置から一の方向、例えば前後方向にスライドを容易に案内するための補助材としてのガイド部材、例えば選手カード９の幅寸法だけ離間してスライド方向（ここでは前後方向）に伸びた一対の突条体２１が形成されている。突条体２１の前後方向の寸法は選手カード９のスライド幅に対応して設定されている。
【００３２】
図３は、選手カードの構成及び載置面との関係を説明するための図で，（ａ）は選手カードの構成と載置面との関係を示す斜視図、（ｂ）は選手カードの裏面の表記内容を示す図である。図３（ａ）においては、説明の便宜上、選手カード９を載置面２０から浮かして表現している。図３（ａ）に示すように、載置面２０は、中央部２０１と前後方向のスライド部２０２とから構成されている。中央部２０１は選手カード９と同一寸法を有し、スライド部２０２は中央部２０１に対して前後方向に所要寸法を有する。例えば選手カードの長手方向の長さの略半分の寸法としてもよい。スライド部２０２は、後述するように選手カード９を、矢印で示す範囲内において、中央部２０１に対してずらして（スライドして）載置することで、選手カード９に対応するモニタ３に表示されるキャラクタの、後述する行動の態様に変化を与えるものである。選手カード９は、表面に選手キャラクタイメージが、裏面には、視認可能にされた選手の顔写真のイメージと名前等の選手情報、及び視認不可にされた選手識別データが印刷されている。
【００３３】
図３（ｂ）に示すように、選手カード９の裏面に印刷されたマークは、載置面２０上での選手カード９の載置位置を検出する位置検出用マーク９１と、選手カード９に対応した選手キャラクタの識別用のデータであるキャラクタデータ（以降ではパラメータという）を表すキャラクタマーク９２を含む。選手識別データとしては、識別番号を利用可能である。ここでは説明の便宜上、選手カード９を６列×１０行のマス目に分割し、その周囲を位置検出用マーク９１として用い、その内側の４列×８行のマス目をキャラクタマーク９２としているが、実際には、必要なデータが格納可能な行列数を用いたマス目に区分けされている。
【００３４】
位置検出用マーク９１は４辺の内の隣接する２辺の全マス目に、残りの２辺における行列方向の交互のマス目に、所定の材料が塗布等されている。このように、連続する部分と、交互する部分とを設けることで、前後逆向きの誤載置を検知して正しい向きでの位置検出を確実にしている。
【００３５】
キャラクタマーク９２は、外周より１マス目分内側の各マス目を各１ビットとして前記所定の材料を塗布等することで選手識別データを形成している。全てのゲーム装置内には、全選手に対して、選手識別データに対応して選手のキャラクタデータ（パラメータ）が所要のメモリ部に予め格納され、ゲームの際には、選手カード９の読み取りによって特定された選手識別データの選手パラメータが予め格納されたメモリ部から読み出されて利用される。
【００３６】
塗布のための材料は、視認可能な材料でもよいが、本実施形態では、後述する赤外光を検知する手段を利用することから、視認不可の、例えば赤外光に反応する材料を用いている。一例として、選手カード９は赤外光を吸収する材料で形成され、あるいは裏面を吸収材料でコーティングし、これに対してマークが表記されている。また、カード載置部２の少なくとも載置面２０は赤外光に対して透過性を有するものが採用されている。キャラクタマーク９２は、キャラクタを特定する識別情報とその能力（スキルを含む）を示している。
【００３７】
能力としては、例えば打者用の場合、共通項目としての、「弾道」、「ミート」、「パワー」、「走力」、「肩力」、「守備力」、「エラー回避値」、「メインポジション」等の野手パラメータが含まれ、さらにキャラクタ個々に応じて特殊能力項目としての、「威圧感」、「左ミート補正」、「左パワー補正」、「チャンス補正」、「スイングタイミング」、「アベレッジヒッター」、「パワーヒッター」、「チャンスメーカー」、「サヨナラ男」、「逆境」、「流し打ち」、「広角打法」、「内野安打」、「バンド」、「満塁男」、「代打男」、「三振男」、「初球打ち」、「固め打ち」、「連打」、「４番打者」、「アベックアーチ」、「粘り男」、「守備職人」、「盗塁」、「体当たり」、「走塁」、「ホームスライディング」、「送球」、「ブロック」、「ムードメーカー」、「タイムリーエラー」、「初回先頭打者本塁打男」、「捕手リードレベル」、「レーザービーム（返球の素早さ）」等の野手パラメータが含まれる。
【００３８】
また、投手用の場合、共通項目としての、「球速」、「スライダー変化」、「カーブ変化」、「フォーク変化」、「シンカー変化」、「シュート変化」（これらを変化球レベルという）、「コントロール」、「ストレート球威」、「投球体格」、「先発調整力」、「疲労回復力」等の投手パラメータが含まれ、さらにキャラクタ個々に応じて特殊能力項目としての、「威圧感」、「左打者補正」、「ピンチ」、「打たれ強さ」、「ランナー」、「立ち上がり」、「尻上がり」、「寸前」、「リリース」、「勝負運」、「牽制」、「打球反応」、「短気」、「四球」、「危険失投率」、「クイック」、「接戦」、「責任感」、「力配分」、「球速安定」、「ポーカーフェイス」等の投手パラメータが含まれる。これらの野手パラメータ及び投手パラメータは、ここでは全ての選手キャラクタに対して設定される。また、これらの各パラメータはその能力乃至は傾向（プラス方向、マイナス方向）の有無が、所要段階のレベル、例えば２段階（有、無）とか３段階（高、中、低）で、さらにはそれ以上の段階で規定されている。
【００３９】
図４は、ゲーム装置の側面断面図であり、図５はその正面図である。図４において、モニタ３の管面上には透明な薄層条の感圧素子であるタッチパネル１０が積ねて配置されている。このタッチパネル１０は指等で押圧された位置を縦横位置を示す電圧レベルで出力するものである。すなわち、タッチパネル１０は長方形状をした薄層体で、縦横にそれぞれ所定ピッチで線状の透明材からなる感圧素材を配列したものを透明カバーで被覆する等により構成されたもので、モニタ３の管面上に貼付されている。このタッチパネル１０は公知の物が採用可能であり、モニタ３の画面に表示される選択などを促すボタンのアドレスと押圧位置とからいずれのボタンが指示されたかが検出し得るようにしている。
【００４０】
また、筐体１の内部であって載置面２０の下方には撮像部１１が配設されている。撮像部１１は、載置面２０に置かれた選手カード９の載置位置の検出用及び選手カード９の裏面の情報の読取用として機能し、撮像動作を制御すると共に撮像画像の処理を行う撮像画像処理部１１１の収納筐体と、その上部に取り付けられた撮像手段（ＣＣＤカメラ等のデジタル撮像器）としてのイメージセンサ１１２と、赤外光を発生する光源１１３とで構成されている。イメージセンサ１１２は載置面２０に置かれた選手カード９の裏面のマーク９１，９２を撮像するべく、全ての載置面２０が視界に含まれるように画角が設定されている。なお、図では見えていないが、本実施形態ではイメージセンサ１１２は左右方向（図４では紙面奥行き方向）に所定台数並設、例えば２台配置され、各イメージセンサ１１２が右半分の５つの載置面２０、左半分の５つの載置面２０を含む視野として設定されている。
【００４１】
光源１１３は、光源支持部材１１３ａに指示されてカード載置部２の前後方向斜め下方位置に設けられ、この斜め下方方向から載置面２０に向けて所定波長域の、ここでは赤外線（遠赤外線含む）の光を発光し、この赤外光を載置面２０に照射、すなわち載置面２に配置される選手カード９の裏面に照射するもので、全ての載置面２０を均等に照射するべく、左右方向に亘り、所要の間隔を置いて乃至は略連続的に配列されている。また、より均等照射を図るために、載置面２０の前側と後側とに配置されていると共に、撮像の障害とならないようにイメージセンサ１１２の画角外に取付けられている。イメージセンサ１１２は、多数の光電変換素子が例えばマトリクス状に配列されているもので、光源１１３からの赤外線が載置面２０上の選手カード９の裏面で反射した、マーク９１，９２を表す赤外光の光像を各光電変換素子で周期的に受光、すなわち受光量に応じたレベルの電気信号に変換するもので、図略の光電変換素子の前面にはこの赤外光のみを好ましくは透過させる図略のフィルタが配置されている。撮像画像処理部１１１は、周期的に撮像された撮像画像を内部の図略のメモリへ転送する（取り込む）処理を行うと共に、該メモリに展開された撮像画像から前記位置検出用マーク９１をメモリのアドレスとして抽出し、その形状を、例えばパターン認識技術等を利用するなどして特定することで、選手カード９の載置面２０上のカード載置位置を算出する。また、撮像画像処理部１１１は、撮像画像中の前記位置検出用マーク９１の検出画素アドレスの情報を利用して前記キャラクタマーク９２の選手識別データを、例えば行列方向の各マス目のビット情報として読み取る。
【００４２】
筐体１内部には、本ゲーム装置の各部に所要レベルの電源供給を行うための電源部１２、ゲーム処理を統括的に実行させるための制御基板類が内装された制御基板部１３が配置されている。
【００４３】
図６は、制御基板部に内蔵される制御部と各部とのハードウェアを示すブロック図である。なお、図において、制御部３００と各部との間のインターフェースや制御指示を受けて各部を駆動させる駆動信号を生成する部分は常套手段のものとして必要に応じて省略している。
【００４４】
通信部１３０は他のゲーム装置ＡＧＭとの間でデータの送受信を行うものであると共に、図略のセンターモニタＣＭにゲーム信号情報等のデータを必要に応じて送信するためのものである。本ゲーム装置は、店舗（遊技場）に所要台数設置されていることを想定しており、センターモニタＣＭは、内部にセンターモニタ用の画像表示処理部を含むコンピュータを備えており、それぞれのゲーム装置の稼働信号を受信してその使用状況や、ゲーム実行中のゲームの状況の信号を受信してそれらを選択的に、あるいはゲームの状況が、例えば得点差が大きいとか、逆に同点とか、あるいは最終回でピンチ、チャンス等の特別な状況にあるようなゲーム画像を店舗内に放映して、プレイ意欲の喚起を促進させるものである。なお、本ゲーム装置は、複数の店舗に設置されている態様では、異なる店舗間で通信部１３０を介して対戦可能とされる。
【００４５】
タッチパネル１０及び撮像部１１は操作部１０Ａを構成する。また、ゲーム開始条件としてのコイン投入口８の内部には、投入コインの真贋及び必要な枚数の計測を行うコインセンサ８１が設けられている。投入されたコインは筐体内部の図略の金庫（ボックス）に収納される。個人カード受付部５１は個人カード挿入口５の内部に設けられ、挿入されたカードからプレーヤが会員であるか否かとか、ゲーム履歴などの情報を読み取って管理用として利用すると共に、ゲーム終了後に、履歴を更新して個人カード挿入口５から返却するものである。選手カード発行部６０は、内部の図略のカード収納部に多数枚の選手カード９が積層状態で収容されており、ゲーム終了毎に、このカード収納部から所定枚数、ここでは１枚の選手カード９をピックアップ部で選手カード発行口６まで搬出し、プレーヤに提供（贈呈）するものである。これにより、プレーヤが選手カードを収集する仕組みを形成し、かつプレイ喚起を図っている。なお、ゲーム結果に応じて発行枚数を可変式としてもよい。
【００４６】
ＲＯＭ３００１は、本ゲームを稼働するためのゲームプログラム、モニタ３に表示される全ての画像データ、ゲーム空間内で３次元画像を生成するための描画処理プログラムを格納すると共に、ゲームの進行乃至はゲーム結果を決定するために必要なパラメータ類や判定のための要素となる種々のデータをテーブル形式で格納している。特に、本実施形態では野球ゲームを想定している関係上、現実の野球のルールに沿うように守備側、攻撃側の処理を実行する制御プログラムが作成され、格納されていると共に、本ゲームにキャラクタとして登場予定の全ての選手の野手パラメータ及び投手パラメータが選手識別データに対応付けられて格納されている。
【００４７】
ＲＡＭ３００２は処理途中のデータを一時的に保管するもので、ＲＯＭ３００１から読み出された各種データ、撮像部１１で得られた各選手カード９の能力等の各種ラメータがゲーム中保管され、必要に応じて読み出されてゲームへの反映を可能にしている。
【００４８】
ビデオＲＡＭ３１は、モニタ３の表示画素に対応するメモリ容量を少なくとも有するもので、表示画像の形成用として用いられる。また、描画処理部３０２１は、制御部３００からの描画命令を受けてビデオＲＡＭ３１への表示画像の展開を担うハードウェア回路部である。  
【００４９】
図７は、制御部の機能を説明するブロック図である。制御部３００は、ゲームプログラム及び操作部１０Ａへの入力操作に基づいて、本ゲームの進行を統括的に制御するゲーム進行処理部３０１、モニタ３へのゲーム画像の表示を制御する画像表示制御部３０２、操作部１０Ａからの入力操作情報を受け付ける受付部３０３、モニタ３に表示される対決項目、すなわち対決の種類乃至は個数を設定し、更にはそれらの各対決項目の成功確率を算出する対決項目設定部３０４、受付部３０３で受け付けた内容に基づいて投球データ、あるいはバッティングデータを作成する行動設定部３０５、他のゲーム装置ＡＧＭとの間で投球データ、あるいはバッティングデータの交換、及びセンターモニタＣＭに必要なデータの送受信を通信部１３０を介して行わせる通信処理部３０６、行動設定部３０５及び他のゲーム装置ＡＧＭから受信したデータに基づいて対決結果を決定する決定部３０７、確率処理に利用される擬似乱数を発生する乱数発生部３０８、ゲームの対決結果に影響を与えるゲーム状況を判断するための状況判断部３０９、決定部３０７での決定内容、操作部１０Ａからの入力操作内容、及び自己キャラクタが投手の場合には投手パラメータを、打者の場合には野手パラメータを用いて、あるいは入力操作無しで、それぞれ実行される１つのシーケンスを制御する単位シーケンス実行部３１０、選手カード９の発行を行わせるための選手カード発行処理部３１３、及び本ゲーム装置を用いて内部のコンピュータと対決する、いわゆるＣＰＵ対戦を実行するべく、相手側の処理を代行する相手側作戦設定部３１４を備える。
【００５０】
画像表示制御部３０２は、ゲーム進行に従った所要の画像をモニタ３に表示させるもので、ビデオＲＡＭ３１等を備える。
【００５１】
本実施形態では、ゲーム装置を操作する遊技者であるプレーヤから行動の指示を与えられる自己キャラクタ、相手プレーヤ（他のゲーム装置又は内部のＣＰＵプレーヤ）から指示を与えられる相手キャラクタが、投手と打者の関係になって対決する１打席分の行動（以下、１つのシーケンスという）を実行させ、このシーケンスを野球ルールに従って３アウトカウント分、９イニング分の合計２７回（連続して）実行させることで、最終的な得点の多少で優劣、すなわちゲーム結果を競う野球ゲームを想定している。但し、本実施形態では、ゲーム上で実行するのは、打者１人に対して１球の対決でゲームが進行するようにしている。
【００５２】
自己キャラクタ、相手キャラクタ、必要に応じて他の選手キャラクタ及び野球場を模擬した背景画等は３次元描画が可能なように、それを構成する所要数のポリゴンで構成されており、描画処理部３０２１（図６）は画像表示制御部３０２からの描画指示に基づいて、３次元空間上での位置から擬似３次元空間上での位置への変換のための計算、光源計算処理等を行なうと共に、上記計算結果に基づいてビデオＲＡＭ３１に対して描画すべき画像データの書き込み処理、例えば、ポリゴンで指定されるビデオＲＡＭ３１のエリアに対するテクスチャデータの書き込み（貼り付け）処理を行う。
【００５３】
ここで、画像表示制御部３０２の動作と描画処理部３０２１の動作の関係を説明する。
画像表示制御部３０２は、ＲＯＭ３００１に記録されているオペレーティングシステム（ＯＳ）に基づいて、ＲＯＭ３００１から画像データ及び制御プログラムデータ、ゲームプログラムデータを読み出す。読み出された画像データ及び制御プログラムデータ等の一部若しくは全部は、ＲＡＭ３００２上に保持される。以降、画像表示制御部３０２は、ＲＡＭ３００２上に記憶されている制御プログラムのうちの描画処理部分、各種データ（表示物体のポリゴンやテクスチャ等その他の文字画像を含む画像データ、音声データ）、並びに検出部からの検出信号等に基づいて画像表示処理を進行する。すなわち、画像表示制御部３０２は、ゲーム進行に基づいて、適宜、描画や音声出力のためのタスクとしてのコマンドを生成する。描画処理部３０２１は、上記コマンドに基づいて、視点位置の計算、視点位置に対する３次元空間上（勿論、２次元空間上においても同様である）におけるキャラクタの位置等の計算、光源計算等、音声データの生成、加工処理を行う。続いて、上記計算結果に基づいて、ビデオＲＡＭ３１に描画すべき画像データの書き込み処理等を行なう。ビデオＲＡＭ３１に書き込まれた画像データは、（インターフェースを介してＤ／Ａコンバータに供給されてアナログ映像信号にされた後に）モニタ３に供給され、その管面上に画像として表示される。同様に、音声データや効果音データも、ＲＯＭ３００１からＲＡＭ３００２を介して出力され（インターフェースを介してＤ／Ａコンバータに供給されてアナログ音声信号に変換された後に、アンプを介して）スピーカ４１，４２から音声として出力される。
【００５４】
描画命令としては、ポリゴンを用いて立体的な画像を描画するための描画命令、通常の２次元画像を描画するための描画命令がある。ここで、ポリゴンは、多角形の２次元画像であり、本実施形態においては、三角形若しくは四角形が用いられる。ポリゴンを用いて立体的な画像を描画するための描画命令は、ＲＯＭ３００１から読み出されたポリゴン頂点アドレスデータ、ポリゴンに貼り付けるテクスチャデータの記憶位置を示すテクスチャアドレスデータ、テクスチャデータの色を示すカラーパレットデータの記憶位置を示すカラーパレットアドレスデータ並びにテクスチャの輝度を示す輝度データとからなる。１つのキャラクタ（またはオブジェクト）は多数のポリゴンで構成される。画像表示制御部３０２は、各ポリゴンの３次元空間上の座標データをＲＡＭ３００２に記憶する。そして、モニタ３の画面上でキャラクタ等を動かす場合、次のような処理が行われる。
【００５５】
画像表示制御部３０２は、ＲＡＭ３００２内に一時保持している各ポリゴンの頂点の３次元座標データと、各ポリゴンの移動量データ及び回転量データとに基づいて、順次、各ポリゴンの移動後及び回転後の３次元座標データを求める。このようにして求められた各ポリゴンの３次元座標データの内、水平及び垂直方向の座標データが、ＲＡＭ３００２の表示エリア上のアドレスデータ、すなわちポリゴン頂点アドレスデータとして、描画処理部３０２１に供給される。描画処理部３０２１は、３個若しくは４個のポリゴン頂点アドレスデータによって示される三角形若しくは四角形の表示エリア上に、予め割り当てられているテクスチャアドレスデータが示すテクスチャデータを書き込む。これによって、モニタ３の表示面上には、多数のポリゴンにテクスチャデータの貼り付けられたキャラクタ（またはオブジェクト）が表示される。
【００５６】
受付部３０３は、操作部１０Ａから、すなわちタッチパネル１０からのプレーヤによる押圧情報、撮像部１１からのプレーヤ操作による選手カードの載置位置情報、及び選手カード９の裏面の選手識別データに対応するＲＯＭ３００１内の選手キャラクタの能力を示す投手パラメータや野手パラメータの情報を受け付けるものである。
【００５７】
ＲＯＭ３００１内には、対決項目として、投手側には「直球で押せ」、「コースを突け」、「変化球でかわせ」、「緩急をつけろ」等が、打者側には、投手側に対応する項目として「直球に絞れ」、「コースを見極めろ」、「変化球を狙え」、「緩急に合わせろ」等が格納されている。対決項目は、これらに限らず、所要数が準備されてもよい。投手側の「直球で押せ」と打者側の「直球に絞れ」とが、投手側の「コースを突け」と打者側の「コースを見極めろ」とが、投手側の「変化球でかわせ」と打者側の「変化球を狙え」とが、そして、投手側の「緩急をつけろ」と打者側の「緩急に合わせろ」とが一致する対決内容（作戦の一致）となる。また、各対決項目には成功確率が対応付けて記憶されている。例えば「直球で押せ」は９０％、「コースを突け」は８０％等である。投球のコースは、ゲーム空間内の仮想のホームベース上が予め複数の領域に区分けされており、例えばマトリクス状に区切られて、それぞれのマス目に対応してコースが設定されている。球速は、後述する投手パラメータに対応して所定の値及び緩急のための値が設定されている。同様に、打撃の場合にも、後述する野手パラメータに対応して所定のスイング速度、スイング位置が設定されている。
【００５８】
また、ＲＯＭ３００１内には、采配項目として、守備側に対して、「盗塁警戒」、「エンドラン警戒」、「バントシフト」、「ゲッツーシフト」、「長打シフト」の５つが格納されており、攻撃側に対して、「バンド」、「送りバント」、「ヒット＆ラン」、「盗塁（重盗）」、「二盗」、「三盗」、「スクイズ」の７つの采配項目が格納されている。なお、その他の采配項目を採用し、また追加する態様としてもよい。
【００５９】
画像表示制御部３０２は、図１２で「選手を呼ぶ」ボタンが押下された場合に、自己キャラクタが投手であれば、図１３に示す作戦指示の画面を表示し、打者であれば、図１４に示す作戦指示の画面に移行させる。図１３には、「直球で押せ」、「コースを突け」、「変化球でかわせ」の３つの対決項目を表すボタンが表示されている。図１４には、「直球に絞れ」、「コースを見極めろ」、「変化球を狙え」の３つの対決項目を表すボタンが表示されている。なお、図１４の対決項目の表示のための指示は、図１３でいずれかの対決項目がプレーヤによって選択されたことを条件に、その送信が行われて実行されるようにしている。これは、図１５と図１６との関係においても場合にも同様である。
【００６０】
また、図１３，図１４に示すように、各対決項目には対応する成功確率が併記表示されている。より詳細には、自己キャラクタが投手の場合を示す図１３では、対決項目の右側に、対応する成功確率が表示され、左側に該対決項目に一致する打者側の対決項目に対応する成功確率が表示されている。例えば「直球で押せ」では、投手側の成功確率である制球率として８４％が、打者側の成功確率であるミート率として８９％が表示されている。自己キャラクタが打者の場合を示す図１４では、対決項目の右側に、対応する成功確率が表示され、左側に該対決項目に一致する投手側の対決項目に対応する成功確率が表示されている。これによりプレーヤはそれぞれの成功確率を参考にしながら作戦を立てる、すなわち対決項目を選択することができる。
【００６１】
また、画像表示制御部３０２は、図１２で「サインを送る」ボタンが押下された場合に、自己キャラクタが守備側であれば、図１５に示す采配指示の画面を表示し、攻撃側であれば、図１６に示す采配指示の画面に移行させる。図１５には、守備側として、「盗塁警戒」、「エンドラン警戒」、「バントシフト」、「ゲッツーシフト」、「長打シフト」の５つの采配項目を表すボタンが表示されている。図１６には、攻撃側として、「バント」、「送りバント」、「ヒット＆ラン」、「盗塁（重盗）」、「二盗」、「三盗」、「スクイズ」の７つの采配項目を表すボタンが表示されている。なお、ゲーム進行制御部３０１は、対決項目と采配項目の双方を選択可能な態様とすることも可能であるが、本実施形態では、対決項目の選択と采配項目の選択とはいずれか一方しか受け付受けできないようにしている。
【００６２】
対決項目設定部３０４は、「選手を呼ぶ」ボタンが押下されたときに実行されるもので、対決項目のうちから、図１３，図１４に示すように、モニタ３上で、タッチパネル１０を介してプレーヤが選択可能な対決項目を設定するものである。すなわち、モニタ３に表示される対戦項目の個数及び種類は、投手キャラクタ及び打者キャラクタに対応する各投手パラメータ、野手パラメータの中で下記特殊パラメータに基づいて設定される。例えば、予め、「直球に絞れ」、「コースを見極めろ」、「変化球を狙え」等の複数の項目を用意しておき、対決する投手の投手パラメータと打者の野手パラメータとの内容から、所定のルールに従って演算され、選択される。
【００６３】
対決項目設定部３０４は、パラメータのレベルとして、打者の能力が高く、かつ投手の能力が低い場合には、対決項目を減少して打者側が有利となるようにし、反対に、打者の能力が低く、かつ投手の能力が高い場合には、対決項目を増加させて、投手側が有利となるようにしている。例えば、投手の場合には、「左打者補正」、「ピンチ」、「ランナー」、「寸前」、「立ち上がり」、「尻上がり」、「接戦」、「責任感」の投手（特殊能力）パラメータを、打者の場合には、「左ミート補正」、「チャンス補正」、「サヨナラ男」、「逆境」、「満塁男」、「代打男」、「固め打ち」、「連打」、「４番打者」、「初回先頭打者本塁打男」、「アベックアーチ」、「チャンスメーカ」の野手（特殊能力）パラメータを、対決項目の数、種類を決定する要素として用いられる。もちろん、上記パラメータ以外の要素（パラメータ）を採用し、また追加してもよい。
【００６４】
行動設定部３０５は、操作部１０Ａからの入力操作情報及び選手のパラメータの一部から作戦結果を決定するために必要な情報、すなわち相手側のゲーム装置へ送信するためのデータを作成するものである。画像表示制御部３０２は、各シーケンス毎に、図１２に示すように、ゲーム画面内に作戦の選択をプレーヤに促すためのガイド画像、ここでは「選手を呼ぶ」と「サインを送る」の文字を含むボタンを表示する。行動設定部３０５は、この段階でプレーヤによってボタンが押されると、タッチパネル１０を介して、それらの対決の入力のための画面に移行させる。
【００６５】
ここで、操作部１０Ａから入力される情報のうち、撮像部１１からのカード載置位置情報は、選手キャラクタの行動が、如何なる態様で行われるかを仮想的に設定するべく、行動態様について複数のレベルが設定された属性の当該レベルの決定に反映される。
【００６６】
この属性のレベルは、投手であれば投球を全力乃至はセーブして行う時の（投球パワー）レベルであり、打者であればバットを振るパワーの（スイングパワー）レベルである。すなわち、属性のレベルとして、投手の場合、選手カード９が載置面の中央位置より前側であれば、より全力投球にして球速をより増す一方、被ミート率をより低くし、かつスタミナの消耗量をより大きくし、後側であれば、球速をよりセーブする（下げる）一方、被ミート率をより高くし、かつスタミナの消耗量をより小さくする。スタミナの消耗量は、予め管理されており、攻撃側でベンチにいる状況を想定し、その間に増加するようにしている、なお、投手の場合は投球パワーの大小によって予め設定された量ずつ減少する。
【００６７】
打者の場合、選手カード９が載置面の中央位置より前側であれば、パワーをより上げてバットをより強振させる一方、ミート率の値をより下げ、後側であれば、パワーをよりセーブしてバットの強振をよりなくさせる一方、ミート率の値をより上げる。打者の場合のパワーの増減は、打球の飛距離とスピードの高低に反映し、打球の弾道、すなわち打球の垂直角度の高低に反映し、かつヒット率に反映するようにしている。
【００６８】
また、行動設定部３０５は、図１２で「サインを送る」ボタンが選択されて、守備側であれば図１５に移行し、攻撃側であれば図１６に移行した場合の采配決定処理を行うものである。すなわち、行動設定部３０５は、プレーヤが守備側の場合、プレーヤが図１５に示すいずれかのボタンを選択し、あるいはプレーヤが攻撃側の場合、プレーヤが図１６に示すいずれかのボタンを選択するので、この選択内容を受付部３０３から受け付けて、その選択内容を采配選択結果として確定する。なお、この采配選択結果は、後述する単位シーケンス実行部３１０によって、実際の野球を模擬して（すなわち、野球ルールの制御プログラムに従って）、野手の守備位置の変更処理、走者の走塁処理に反映される。
【００６９】
行動設定部３０５は、送信用のデータとして、本実施形態では、投手データとしては、「リリースタイミング」、「球種」、「選択した対決項目」、「選択した采配項目」、「投球コース」、「属性レベル（全力〜セーブ）」を、打者データとしては、「スイングタイミング」、「選択した対決項目」、「選択した采配項目」、「打球方向」、「属性レベル（強振〜ミート）」を生成する。投手データの、「リリースタイミング」は投手パラメータ中の「リリース」（ベストなリリースタイミング）に対するずれ量が乱数発生部３０８を利用して、又はランダムな処理により設定され、「球種」は投手パラメータ中の各種の変化球のうちから、采配情報及び属性レベルを考慮して設定され、「投球コース」は投手と打者の両パラメータに基づいて設定される。打者データの、「スイングタイミング」は野手パラメータ中の「スイングタイミング」（ベストなスイングタイミング）に対するずれ量が乱数発生部３０８を利用して、又はランダムな処理により設定される。
【００７０】
通信処理部３０６は、操作部１０Ａからの選択内容に基づいて行動設定部３０５で生成した作戦情報を含む所定の情報を、互いに他方のゲーム装置に送信するものである。このように、各ゲーム装置は互いに相手側となるゲーム装置からのデータを受け取ることで、互いに同一の情報を持つことができる。
【００７１】
決定部３０７は、図１３、図１４に示す対決項目に対してプレーヤが選択した対決項目、対決項目の成功確率、撮像部１１から（受付部３０３を介して得られた）の選手カード９の載置面２０上の載置位置情報や当該選手のＲＯＭ３００１内のパラメータ情報、通信処理部３０６で受信した相手側からのデータから、選択された対決項目の態様である属性のレベルも加味して、対決の結果を決定するものである。また、決定部３０７は、それぞれのプレーヤが選択した対決項目の成功確率を、投手側、打者側についてそれぞれ、後述する乱数発生部３０８で発生する擬似乱数を用いて決定する、確率処理を施すことで、ヒットかアウト（空振り三振）かを決定する。すなわち、対決項目が一致した場合には、作戦が的中して有利となった側、すなわち打者側のデータを用いてヒット、アウトを決定し、不一致の場合には作戦を外して有利となった側、すなわち投手側のデータを用いてヒット、アウトを決定する。この時、スタミナ消耗量も反映される。あるいは、スタミナ量が所定の閾値以下となったと、図略の判定部によって判定された時は、選手交代の指示が出されるように設定するものとしてもよい。
【００７２】
さらに、決定部３０７は、対決項目、采配項目のいずれの選択も行われなかった場合には、互いに相手側のゲーム装置に送信される、対決項目及び采配項目の選択無しの状態の投手データ、打者データに基づいて、後述するヒッティング判定（図９）処理を行い、ヒットかアウトかを決定する。
【００７３】
乱数発生部３０８は、上記したように、予め所定のルールに従った擬似乱数を発生するもので、確率で結果が規定されている内容、ここでは対決項目に対する成功確率に対して擬似乱数を利用して確率処理を実行させるためのものである。例えば、対決項目が一致して打者が有利になった場合には、更にその成功確率が９０％の場合、１〜１００までカウント可能なカウンタを駆動させ、所定のルールで決定した時間で停止させた時の数値が１〜９０であれば成功（ヒット）と判定し、９１〜１００であれば失敗（空振り三振）と判断するようにしている。従って、成功確率が例えば９０％、つまり５０％を越えているからといって、直ちに成功するとの結果に直結しないようにして、期待感、意外性が加味されてゲーム性を高めている。乱数発生部３０８は、次のゲームの開始までに、またはゲーム開始時に、あるいは各シーケンスの開始時点で、ゲーム進行処理部３０１によって初期化されるようにしている。これにより、２台のゲーム装置間でゲームの対決を行うに当たっては、通信処理部３０６で互いのデータを交換する結果、同一の条件のもとで、すなわち同一のデータを利用して確率処理をすることとなるので、双方の乱数発生部３０８は常に一致した擬似乱数を発生し、従って対決結果を両ゲーム装置間で、常に一致させることができる。このことは、後述する単位シーケンス実行部３１０で、擬似乱数を用いて確率処理の演算を行う場合にも同様であり、通信処理部３０６でデータの交換をすることなしに、両ゲーム装置間で、常に処理内容を一致させることができる。これによって、両ゲーム装置のモニタ３に同一のゲーム進行画像を表示させることができる。
【００７４】
ゲーム状況判断部３０９は、シーケンスの実行数、すなわち野球であればイニング数とアウトカウント数や、直前までの各シーケンスの実行結果からゲームの状況（得点、ピンチ、チャンス等）を判断するもので、この結果が、予め設定された特別な状況（例えば最終回など）、注目するべく状況（満塁など）にある場合には、決定部３０７で決定される対決結果、すなわちヒット、アウトを決定する処理にも反映されるようにしている。これにより、ゲームをより興趣に富んだものとすることができる。
【００７５】
なお、画像表示制御部３０２は、投手側の表示画像と打者側との表示画像を同一のもの（仮想カメラの視点及び視線方向が一致）としてもよいが、本実施形態では、同一の事象を、それぞれに好ましい異なる視点位置から描画するようにし、それぞれのプレーヤに対するゲーム進行の視認性の向上を図っている。
【００７６】
単位シーケンス実行部３１０は、投手による投球からバッティング゛、さらにはバッティング゛結果に応じた一連の動作までの投手キャラクタ、野手キャラクタ、打者キャラクタ、走者キャラクタの動き、及びボールを模擬したボールキャラクタの動きを逐次算出し、その逐次の算出結果を逐一画像表示制御部３０２に導くものである。
【００７７】
単位シーケンス実行部３１０は前処理部３１１と後続処理部３１２とからなる。前処理部３１１は、決定部３０５での決定内容及びその際に用いたパラメータを用いて、モニタ３に表示された投手キャラクタによるボールキャラクタの投球動作前に処理結果を得るもので、プレーヤが投手側であるときは、投球コース、球速（投手パラメータ中の「球速」や「リリース」データなどを使用）、球種、投球されたボールの軌道、ホームベース上での通過位置の各データを演算し、プレーヤが打者側であるときは、バットスイング軌道、バットに当たるか否かの結果、及びバットに当たるとの結果を得たときの、バットに当たった瞬間の「打球速度」、「打球角度」及び「打球速度減衰率」のパラメータを演算する。各演算のうち、投球されたボールキャラクタ、バットスイングの軌道計算については、一般的な力学や空気抵抗を加味したものとしてもよいし、実際の運動に近い形のシミュレーション演算を利用してゲーム処理に要求される速度での処理で求めるものでもよい。
【００７８】
後続処理部３１２は、投球動作後に行わせる行動に対する処理であって、モニタ３上で、ボールキャラクタや走者キャラクタの動きから野手キャラクタに自然な守備動作を行わせ、ボールキャラクタや野手キャラクタの動きから走者キャラクタに自然な走塁動作を行わせ（以上は野球ルールに即した制御プログラムによる）、及びバットキャラクタとの当たり時のデータを元にボールキャラクタを移動させるための演算を実行する。更に、後続処理部３１２は、ボールキャラクタのホームベース上の通過位置とバットキャラクタのスイング位置とのずれ量や、両者のタイミングのずれ量に従って前処理部３１１で得た「打球速度」、「打球角度」及び「打球速度減衰率」の各パラメータを用いて、打撃後の打球速度、打球角度の算出を行う。この場合、「打球速度」、「打球角度」に対して乱数発生部３０８等を用いて打球の軌道にばらつきを与えることで、よりリアルさを醸し出すことができる。
【００７９】
後続処理部３１２は、上記の演算を所定の周期で繰り返し実行し、その結果を画像表示制御部３０２に導くことで、モニタ３上でボールキャラクタ、投手キャラクタ、打者キャラクタ、野手キャラクタ及び走者キャラクタの動きを動画的に表示して、よりリアルなシーケンス処理を実現している。
【００８０】
選手カード発行処理部３１３は、ゲーム終了を受けて、筐体１内部の選手カード収納部から所定の枚数、ここでは１枚だけ選手カードを選手カード発行口６に発行させる指示を行うものである。これにより、プレーヤはゲームを行う毎に、選手カードの枚数、種類を収集できる。
【００８１】
相手側作戦設定部３１４は、ＲＯＭ３００１内に、コンピュータで制御される、１チームを構成するに充分な数の選手キャラクタの画像及びそれらの各パラメータ（投手パラメータ、野手パラメータ）を備えた野球チームが予め準備されており、当該ゲーム装置１台のみで、プレーヤとの間でのＣＰＵ対戦を実現するためのもので、対決項目、采配項目の選択処理、属性のレベル、対決結果、シーケンスの実行処理を担うものである。この相手側作戦設定部３１４は、基本的には、相手プレーヤが存在することを仮想したように、対決項目設定部３０４、行動設定部３０５、通信処理部３０６、決定部３０７、乱数発生部３０８、ゲーム状況判断部３０９、単位シーケンス実行部３１０を自己装置内で同等に機能させ、かつ１つのモニタ上に画像表示させる処理を行うためのものである。
【００８２】
図８は、本ゲームの全体の流れを示すフローチャートである。まず、コインが投入されたか否かがコインセンサ８１で検出されると（ステップＳ１）、撮像部１１が起動し、載置面２０に選手カード９が所要枚数（野球ゲームでは９枚）が置かれたことを検知し、各選手カード９の選手識別データの読み取りを行う（ステップＳ３）。続いて、ゲームが開始されて、対戦相手のデータの交換を行い、次いで１人の打者キャラクタとの対決を行う１つのシーケンスの実行処理に移行する（ステップＳ５）。このシーケンスが終了する毎に、ゲーム終了か否かが判断され（ステップＳ７）、残りアウトカウントや残りイニングがあるときは、次の打者キャラクタとの対決を行うためのシーケンスが設定されてステップＳ３に戻る。ステップＳ７でゲーム終了であれば、ゲーム終了処理（ステップＳ１１）、例えばモニタ３上に優劣（勝敗）の提示等が行われた後、新たな選手カード９を１枚だけ発行する指示を発して、本フローを終了する。
【００８３】
図９は、図８のステップＳ５に示すシーケンス実行処理に含まれる、打席フローの手順を示すフローチャートである。まず、プレーヤが投手側である場合について説明する。なお、プレーヤが打者側の場合も基本的には同一であるので、投手の場合と異なる手順の部分についてのみ説明する。
【００８４】
先ず、直前のシーケンスで実行された投球、打撃処理（ワーク）に関するデータ及び乱数発生部３０８の初期化が行われ（ステップＳ２１）、次いで作戦設定表示処理と選択入力、すなわち対決項目の設定、設定された作戦項目のモニタ３へのボタン表示からボタン押下まで、あるいは采配項目のモニタ３へのボタン表示からボタン選択までの、いずれか一方の処理入力が行われると共に、プレーヤによる選択結果をそれぞれ受け付ける（ステップＳ２３）。この受付処理には、選手カード９の載置面２０上での位置データも含まれる。
【００８５】
図１０は、この作戦設定表示処理に含まれる、対決項目設定の手順を示すフローチャートである。シーケンスが開始され、図１２で「選手を呼ぶ」が選択されると、本フローに入り、この選択した旨の情報が相手のゲーム装置に通信されて、対応するように対決項目の表示が行われる。プレーヤが投手側であれば、前述した所定の投手パラメータを用いて、逆に打者側であれば、前述した所定の野手パラメータを用いて、投手キャラクタ及び打者キャラクタについての、各対決項目、及び当該対決項目に対する成功確率（サクセスレート）をそれぞれ算出する（ステップＳ５１）。これらの対決項目、及び当該対決項目に対する成功確率（サクセスレート）のそれぞれの算出は、お互いのゲーム装置内で打者側データ及び投手側データが同様に生成される。この結果を受けて、所定のルールに従って対決項目の数、種類を決定して、モニタ３に表示し（ステップＳ５３、図１３，図１４参照）、プレーヤの入力をガイドして待つ。そして、複数の対決項目からいずれのボタンが押下されたかを、対決項目の選択として受け取って（ステップＳ５５）、本フローを終了する。なお、例えば待ち時間内に少なくとも一方のボタンの押下がない場合には、制御部３００側で任意乃至は無作為に選択する処理を行う。
【００８６】
図９に戻って、次に、相手のゲーム装置に送信するためのデータである投球データが生成される（ステップＳ２５）。この投球データの相手側のゲーム装置への送信が行われる（ステップＳ２７）と共に、相手側のゲーム装置から送信される打撃データの受信が行われる（ステップＳ２９）。この送受信動作は、打撃フローの開始時点から所定の時間経過時に行うよう設定しておくことで、両ゲーム装置で同時的に互いに送受信できる。なお、互いに受信を割り込み処理可能な状態としておいて、データ作成後、直ちに互いに他方のゲーム装置にデータ送信する態様としてもよい。このように、お互いのデータ交換処理を行うことで、各ゲーム装置は、同一の投球データ及びバッティングデータ（打撃データ）を有することになる。しかも、両方で同じデータを持つことで両者の画像表示に遅れが生じることがなくなり、両者で違和感のない、またプレーヤにとって通信による優劣のないゲーム環境を提供することができる。
【００８７】
次いで、受信したバッティングデータをＲＡＭ３００２のワークエリアに保管し（ステップＳ３１）、投球データ及びバッティングデータ等を用いて決定部３０７によるヒッティング判定が行われる（ステップＳ３３）。このヒッティング判定では、対決モードの選択の有無を受けて、対決項目が選択された対決モードと、対決項目が選択されない通常モード（采配項目のみ選択される場合を含む）とで、以下のように分岐して処理が行われる。
【００８８】
図１１は、このヒッティング判定処理のフローチャートである。図１１においては、先ず、対決モードにおいて、対決項目の一致、不一致の判定が行われ（ステップＳ６１）、一致のときはステップＳ６３に進み、不一致のときはステップＳ６９に進む。
【００８９】
ステップＳ６３では、選択された対決項目に対する打者の成功確率（サクセスレート、すなわちミート率）がチェックされ、その成功確率が、乱数発生部３０８からの擬似乱数を用いての確率処理で成功か失敗か、すなわちサクセスレート判定が実行され（ステップＳ６５）、成功と判定されると、「ジャストミート」、すなわち「安打」と決定され（ステップＳ６７）、逆に失敗と判定されると、「空振り三振」と決定される（ステップＳ７３）。一方、ステップＳ６９では、選択された対決項目に対する投手の成功確率（サクセスレート）がチェックされ、その成功確率が、乱数発生部３０８からの擬似乱数を用いての確率処理で成功か失敗か、すなわちサクセスレート判定が実行され（ステップＳ７１）、成功と判定されると、「空振り三振」と決定され（ステップＳ７３）、逆に失敗と判定されると、「ジャストミート」、すなわち「安打」と決定される（ステップＳ６７）。
【００９０】
次に、通常モードの場合には、ヒッティング判定は、互いに交換された投手データ、打者データから投手側、打者側のサクセスレートを算出し、サクセスレートの優位な側の確率に対して、乱数発生部３０８からの擬似乱数を用いてヒットかアウトかの、いずれかが決定される。
【００９１】
図９に戻って、ステップＳ３５で、投球データを用いて投球軌道計算が実行され、次いで、この投球軌道計算で得たホームベース上の通過位置である「バッティングポイント」のワークエリアへのセット（保管）が行われる（ステップＳ３７）。続いて、投球軌道計算で得られた結果に従って、モニタ３上で投球動作及び投球処理である「投球」の画像の表示が行われ（ステップＳ３９）、続いて計算で得られた打撃結果となるスイングタイミング、打球方向、打球速度に従って、モニタ３上で打撃動作及び打球処理である「バッティング」の画像の表示が行われる（ステップＳ４１）。次いで、打撃結果を受けて、野手キャラクタの移動、走者キャラクタの移動、ボールキャラクタの移動が逐次計算され、モニタ３上に画像として表示される（ステップＳ４３）。
【００９２】
なお、プレーヤが打者側の場合には、ステップ＃２１からステップ＃４３の処理が、ステップＳ２１からステップＳ４３の各処理と同時的に実行される。なお、ステップ＃２７では、打撃データの送信が行われ、ステップ＃２９では投球データの受信が行われる。
【００９３】
なお、本発明は、以下の態様を採用することができる。
【００９４】
（１）選手カード９は、長方形に限らず、正方形、円形等、種々の形状のものが採用可能であり、適用されるゲームの種類に適した形状を採用してもよい。
【００９５】
（２）選手カードの載置面での載置位置の変更は、カード載置部２に対する前後方向の他、左右方向や斜め方向でもよく、あるいはこれらを合わせた態様としてもよい。このようにすれば、カード載置部の形状やゲーム種類に応じて適宜な載置位置変化を与えることができる。あるいは載置面２０の前後側に感圧センサを設け、選手カード９を介していずれのセンサが押圧を感知したかで、属性のレベルを変更する態様としてもよい。
【００９６】
（３）本実施形態では、１つのシーケンスを投手の投球の１球で処理する簡易型としたが、野球ルールに従って処理するゲームとしてもよい。
【００９７】
（４）本実施形態では、複数のシーケンスを連続させてゲームを構成したが、これに限定されず、ゲームの種類によっては、１つのシーケンスでゲームが構成される態様としてもよい。
【００９８】
（５）本実施形態では、対決項目の数、種類をいずれも可変としたが、数を固定としてもよく、また種類を固定としてもよく、さらに両者を固定としてもよい。
【００９９】
（６）本実施形態では、選手カードの裏面情報の検出用として撮像部１１を採用したが、これに限定されず、裏面情報がバーコードで表記されている場合にはバーコードリーダでもよく、その他種々の検知手段が採用可能である。
【０１００】
（７）本実施形態では、選手カードを動かす方式としたが、これに限定されず、選手カードを固定し、他の部材を、例えば選手カードを載置する部材を載置部２に対して移動式（スライダ機能付き）とし、この移動量を検出するようにしてもよい。
【０１０１】
（８）ガイド部材としては、一対の突条体２１の他、載置及びスライド範囲に亘る部分をカード載置部２の上面に対して凹状としても、同様にガイドの補助機能を奏する。
【０１０２】
（９）マーク９１，９２は赤外光を吸収する材料で表記された態様としてもよく、この場合、選手カード９を赤外光反射材で作成し、又は裏面に赤外光反射材でコーティングすればよく、かつ載置面２０を赤外光を半透過可能な材料としておけばよい。これによっても、材料が塗布されたマス目及び、材料が塗布されたマス目と塗布されていないマス目とを識別することが可能となる。
【０１０３】
（１０）１台のゲーム装置で１人のプレーヤが内蔵のコンピュータと対戦するＣＰＵ対戦では、相手側作戦設定部３１４によって、あたかも他のプレーヤと対戦しているかのような制御及び画像表示が行われるが、例えばステップＳ３３、ステップ＃３３でのヒッティング判定処理においては、選手カード９の載置位置情報は存在せず、また、プレーヤ側の操作情報が全て認識し得ている等の事情により、ＣＰＵ対戦特有の判定処理も含まれるため、このステップＳ３３、ステップ＃３３の処理に移行する際に、２台のゲーム装置による対戦であるかＣＰＵ対戦であるかで、処理を分岐してそれぞれ特有の手順を実行して、次ステップに進むようにしてもよい。
【０１０４】
（１１）選手カードにはキャラクタデータ（パラメータ）を格納する、アンテナとＩＣチップとからなるタグを内蔵する態様でもよい。この場合、筐体１の載置面の近傍にアンテナを備えたデータ読取器を備えれば、キャラクタデータを電波を介して読み取ることができる。これによれば、裏面のキャラクタデータのためのマーク９２を表記しなくても済む。
【０１０５】
（１２）本発明は、野球ゲームのようにプレーヤが２人の場合に限定されず、複数人がそれぞれのゲーム装置を用いて行うことも可能である。また、野球ゲームの他、各プレーヤが互いに関連し合う、例えば対抗する関係にある作戦を立て、それらが同時的に実行されるタイプの種々のゲームに適用可能である。例えば、アメリカンフットボール、相撲等に適用可能である。また、一般的なじゃんけんゲームのようなゲームにも適用でき、このようなゲームに対しても、互いの手の内を、作戦とか対決という用語を用いて表現することができる。
【図面の簡単な説明】
【０１０６】
【図１】本発明に係るゲーム装置の一実施形態を示す外観構成図である。
【図２】カード載置部の構成を示す斜視図の一例である。
【図３】選手カードの構成及び載置面との関係を説明するための図で，（ａ）は選手カードの構成と載置面との関係を示す斜視図、（ｂ）は選手カードの裏面の表記内容を示す図である。
【図４】ゲーム装置の側面断面図である。
【図５】ゲーム装置の正面図である。
【図６】制御基板部に内蔵される制御部と各部とのハードウェアを示すブロック図である。
【図７】制御部の機能を説明するブロック図である。
【図８】本ゲームの全体の流れを示すフローチャートである。
【図９】図８のステップＳ５に示すシーケンス実行処理に含まれる、打席フローの手順を示すフローチャートである。
【図１０】図８のステップＳ２３に示す作戦設定表示処理に含まれる、対決項目設定の手順を示すフローチャートである。
【図１１】図８のステップＳ３３に示すヒッティング判定処理のフローチャートである。
【図１２】作戦の選択をガイドするゲーム画像である。
【図１３】プレーヤが投手側のときの対決項目の選択をガイドするゲーム画像である。
【図１４】プレーヤが打者側のときの対決項目の選択をガイドするゲーム画像である。
【図１５】プレーヤが投手側のときの采配項目の選択をガイドするゲーム画像である。
【図１６】プレーヤが打者側のときの采配項目の選択をガイドするゲーム画像である。
【符号の説明】
【０１０７】
１  筐体
２  カード載置部
２０  載置面
２１  突条体
２０１  中央部
２０２  スライド部
３  モニタ
１３０  通信部
３００  制御部
３０１  ゲーム進行処理部
３００１  ＲＯＭ（各記憶部）
３０２  画像表示制御部
３０３  受付部
３０４  対決項目設定部
３０５  行動設定部
３０６  通信処理部
３０７  決定部
３０８  乱数発生部
３０９  状況判断部
３１０  単位シーケンス実行部
３１１  前処理部
３１２  後続処理部
３１３  選手カード発行処理部
３１４  相手側作戦設定部（相手処理手段）
９  選手カード
９１  位置検出用マーク
９２  キャラクタマーク  
１０  タッチパネル
１０Ａ  操作部
１１  撮像部（位置検出部）
【図１】
2006280659.tif 000003
【図２】
2006280659.tif 000004
【図３】
2006280659.tif 000005
【図４】
2006280659.tif 000006
【図５】
2006280659.tif 000007
【図６】
2006280659.tif 000008
【図７】
2006280659.tif 000009
【図８】
2006280659.tif 000010
【図９】
2006280659.tif 000011
【図１０】
2006280659.tif 000012
【図１１】
2006280659.tif 000013
【図１２】
2006280659.tif 000014
【図１３】
2006280659.tif 000015
【図１４】
2006280659.tif 000016
【図１５】
2006280659.tif 000017
【図１６】
2006280659.tif 000018
【手続補正書】
【提出日】平成18年8月14日(2006.8.14)
【手続補正１】
【補正対象書類名】特許請求の範囲
【補正対象項目名】全文
【補正方法】変更
【補正の内容】
【特許請求の範囲】
【請求項１】
画像表示制御手段により表示器に自己キャラクタと相手キャラクタとを表示させ、自己キャラクタに対してプレーヤからの指示に応じた対戦のための作戦を実行させることによって所定のルールに従った優劣結果を得るゲーム装置において、
自己キャラクタが行う各種の自己側作戦である対決項目と各自己側作戦が成功する成功確率とを各対決項目と関連付けて記憶する第1の記憶手段と、
自己キャラクタに実行させる自己側作戦のうちから１つの対決項目の選択を行うための操作部と、
前記操作部で選択された自己側作戦である対決項目と、該自己側作戦である対決項目の選択に対応して設定されており、前記自己側作戦である対決項目の各々に対抗する相手キャラクタの複数の相手側作戦である対決項目との一致、不一致を判断すると共に、前記操作部で選択された自己側作戦である対決項目と、前記相手側作戦である対決項目であってそれぞれ成功確率が対応付けられた相手側作戦である対決項目とから両対決項目の成功確率に基づいて、自己キャラクタの実行する自己側作戦が成功するか否かを決定する決定手段とを備え、
前記決定手段は、擬似乱数を発生する乱数発生手段を備え、両対決項目が一致した場合には、作戦が的中して有利となった側の成功確率と前記擬似乱数との大小によって、不一致の場合には、作戦を外して有利となった側の成功確と前記擬似乱数との大小によって、自己キャラクタの実行する自己側作戦が成功するか否かを決定することを特徴とするゲーム装置。
【請求項２】
相手キャラクタが実行する各種の相手側作戦である対決項目と各相手側作戦が成功する成功確率とを相手側作戦である各対決項目と関連付けて記憶する第２の記憶手段と、相手キャラクタの実行する相手側作戦のうちから１つの対決項目を第２の記憶手段から選択的に設定するコンピュータで構成される相手側作戦設定手段とを備えることを特徴とする請求項１記載のゲーム装置。
【請求項３】
相手キャラクタは他のゲーム装置に設定され、前記他のゲーム装置は、前記相手キャラクタのための、前記第1の記憶手段、前記操作部及び決定手段に対応する構成を備えてお
り、各ゲーム装置は互いに通信部を介して接続されて、各表示器に前記自己側作戦及び相手側作戦が実行される同事象の画像が表示されることを特徴とする請求項１記載のゲーム装置。
【請求項４】
前記自己側作戦及び相手側作戦の実行が１のシーケンスを構成するとともに、前記ゲームは複数のシーケンスの連続で形成され、前記所定のルールは各シーケンスの結果の履歴によってゲームの優劣結果を決めるものであることを特徴とする請求項１〜３のいずれかに記載のゲーム装置。
【請求項５】
前記シーケンスの履歴からゲーム状況を判断するゲーム状況判断手段と、前記ゲームの状況に応じて前記自己側作戦である各対決項目及び相手側作戦である各対決項目の各成功確率の少なくとも一方を増減させるパラメータを記憶するパラメータ記憶手段とを備え、前記決定手段は、前記ゲーム状況判断手段からの判断結果に応じた前記パラメータで前記自己側作戦である各対決項目及び相手側作戦である各対決項目の各成功確率のうち変更対象の成功確率を変更することを特徴とする請求項１記載のゲーム装置。
【請求項６】
前記操作部で選択可能な自己側作戦である各対決項目を設定する作戦項目設定手段を備え、前記画像表示制御手段は、前記表示器に作戦項目設定手段で設定された自己側作戦である各対決項目を表示するもので、前記作戦項目設定手段は、現在までの各シーケンスの結果の履歴に応じて自己側作戦である各対決項目をシーケンス毎に設定することを特徴とする請求項１又は５記載のゲーム装置。
【請求項７】
前記操作部で選択可能な自己側作戦である各対決項目を設定する作戦項目設定手段と、自己キャラクタに設定されている能力を記憶する能力記憶手段とを備え、前記画像表示制御手段は、前記表示器に作戦項目設定手段で設定された自己側作戦である各対決項目を表示するもので、前記作戦項目設定手段は、自己キャラクタの能力に応じて自己側作戦である各対決項目をシーケンス毎に設定することを特徴とする請求項１又は５記載のゲーム装置。
【請求項８】
前記作戦項目設定手段は、前記表示器に自己側作戦である各対決項目を表示すると共に、前記表示器に表示された自己側作戦である各対決項目に対応する成功確率と、前記表示器に表示された自己側作戦である各対決項目と一致する相手キャラクタの相手側作戦である各対決項目の成功確率とを表示することを特徴とする請求項６又は７記載のゲーム装置。
【請求項９】
ゲームは野球を模擬したゲームであり、自己キャラクタが投手を模擬したキャラクタの場合、前記作戦項目設定手段は、自己キャラクタが投げるボールを模擬したボールキャラクタの球種の項目を設定することを特徴とする請求項６〜８のいずれかに記載のゲーム装置。
【請求項１０】
ゲームは野球を模擬したゲームであり、自己キャラクタが打者を模擬したキャラクタの場合、前記作戦項目設定手段は、前記自己キャラクタが所持するバットを模擬したバットキャラクタの前記球種に対応したスイングの方法の項目を設定することを特徴とする請求項７〜９のいずれかに記載のゲーム装置。
【請求項１１】
画像表示制御手段により表示器に自己キャラクタと相手キャラクタとを表示させ、自己キャラクタが行う各種の自己側作戦である対決項目のうちから１つの対決項目の選択を行うための操作部を介してプレーヤからの指示に応じた対戦のための作戦を実行させることによって所定のルールに従った優劣結果を得るようにコンピュータに実行させるゲーム装置のゲーム実行制御プログラムであって、
前記コンピュータを、自己キャラクタが行う各種の自己側作戦である対決項目と各自己側作戦が成功する成功確率とを各対決項目と関連付けて記憶する記憶手段と、
前記操作部で選択された自己側作戦である対決項目と、該自己側作戦である対決項目の選択に対応して設定されており、前記自己側作戦である対決項目の各々に対抗する相手キャラクタの複数の相手側作戦である対決項目との一致、不一致を判断すると共に、前記操作部で選択された自己側作戦である対決項目と、前記相手側作戦である対決項目であってそれぞれ成功確率が対応付けられた相手側作戦である対決項目とから両対決項目の成功確率に基づいて、自己キャラクタの実行する自己側作戦が成功するか否かを決定する決定手段として機能させ、
前記決定手段は、擬似乱数を発生する乱数発生手段を備え、両対決項目が一致した場合には、作戦が的中して有利となった側の成功確率と前記擬似乱数との大小によって、不一致の場合には、作戦を外して有利となった側の成功確と前記擬似乱数との大小によって、自己キャラクタの実行する自己側作戦が成功するか否かを決定することを特徴とするゲーム実行制御プログラム。
【請求項１２】
画像表示制御手段により表示器に自己キャラクタと相手キャラクタとを表示させ、自己キャラクタが行う各種の自己側作戦である対決項目のうちから１つの対決項目の選択を行うための操作部を介してプレーヤからの指示に応じた対戦のための作戦を実行させることによって所定のルールに従った優劣結果を得るようにコンピュータに実行させるゲーム装置のゲーム実行制御方法であって、
記憶制御手段が、自己キャラクタが行う各種の自己側作戦である対決項目と各自己側作戦が成功する成功確率とを各対決項目と関連付けて記憶し、
決定手段が、前記操作部で選択された自己側作戦である対決項目と、該自己側作戦である対決項目の選択に対応して設定されており、前記自己側作戦である対決項目の各々に対抗する相手キャラクタの複数の相手側作戦である対決項目との一致、不一致を判断すると共に、前記操作部で選択された自己側作戦である対決項目と、前記相手側作戦である対決項目であってそれぞれ成功確率が対応付けられた相手側作戦である対決項目とから両対決項目の成功確率に基づいて、自己キャラクタの実行する自己側作戦が成功するか否かを決定するものであって、
前記決定手段が、擬似乱数を発生する乱数発生手段を備え、両対決項目が一致した場合には、作戦が的中して有利となった側の成功確率と前記擬似乱数との大小によって、不一致の場合には、作戦を外して有利となった側の成功確と前記擬似乱数との大小によって、自己キャラクタの実行する自己側作戦が成功するか否かを決定することを特徴とするゲーム実行制御方法。
【手続補正２】
【補正対象書類名】明細書
【補正対象項目名】全文
【補正方法】変更
【補正の内容】
【発明の詳細な説明】
【技術分野】
【０００１】
本発明は、画像表示制御手段により表示器に自己キャラクタと相手キャラクタとを表示させ、自己キャラクタに対してプレーヤからの指示に応じた対戦のための作戦を実行させることによって所定のルールに従った優劣結果を得るゲーム装置、ゲーム実行制御技術に関する。
【背景技術】
【０００２】
特許文献１には、裏面に固有のデータが書き込まれた複数の選手カードの中から、チームを構成するべく選択的に所要枚数分だけプレイフィールド上に載置し、載置された各選手カードのデータをイメージセンサによって読み取り、読み取ったデータに応じたゲーム画像を生成して表示器に導いて表示するようにしたカードゲーム装置が提案されている。このカードゲーム装置では、プレイフィールド上で各選手カードの配置を変えることにより、対応する各選手のポジションやフォーメーションの変更が指示できるようにされており、これによってチームとしての競技レベルが変わることで、より変化に富んだゲームが実現し得るようになされている。
【特許文献１】特開２００２−３０１２６４号公報
【発明の開示】
【発明が解決しようとする課題】
【０００３】
特許文献１記載のカードゲーム装置では、各カード載置領域に対応するポジションに合ったキャラクタ（選手）を配置させることにより、チームの競技レベルを自由に設定することが可能になるものである。すなわち、各選手カードをプレイフィールド上のどの位置に配置するかで、それに対応して各選手のポジションやフォーメーションの変更が指示されるだけであり、かつ指示がそのままゲームに反映されるものであることから、意外性、相手チームとの駆け引き性というゲーム性の点で一定の限界がある。
【０００４】
本発明は上記に鑑みてなされたもので、対戦する自己キャラクタと相手キャラクタとに対してそれぞれ選択可能な作戦と成功確率とを関連付け、各キャラクタに対して指示された作戦の成功確率に基づいて、自己キャラクタに指示した作戦が成功するか否かを決定して高いゲーム性を持たせたゲーム装置、ゲーム実行制御方法及びそのプログラムを提供することを目的とするものである。
【課題を解決するための手段】
【０００５】
請求項１記載の発明は、画像表示制御手段により表示器に自己キャラクタと相手キャラクタとを表示させ、自己キャラクタに対してプレーヤからの指示に応じた対戦のための作戦を実行させることによって所定のルールに従った優劣結果を得るゲーム装置において、  自己キャラクタが行う各種の自己側作戦である対決項目と各自己側作戦が成功する成功確率とを各対決項目と関連付けて記憶する第1の記憶手段と、自己キャラクタに実行させる自己側作戦のうちから１つの対決項目の選択を行うための操作部と、前記操作部で選択された自己側作戦である対決項目と、該自己側作戦である対決項目の選択に対応して設定されており、前記自己側作戦である対決項目の各々に対抗する相手キャラクタの複数の相手側作戦である対決項目との一致、不一致を判断すると共に、前記操作部で選択された自己側作戦である対決項目と、前記相手側作戦である対決項目であってそれぞれ成功確率が対応付けられた相手側作戦である対決項目とから両対決項目の成功確率に基づいて、自己キャラクタの実行する自己側作戦が成功するか否かを決定する決定手段とを備え、前記決定手段は、擬似乱数を発生する乱数発生手段を備え、両対決項目が一致した場合には、作戦が的中して有利となった側の成功確率と前記擬似乱数との大小によって、不一致の場合には、作戦を外して有利となった側の成功確と前記擬似乱数との大小によって、自己キャラクタの実行する自己側作戦が成功するか否かを決定することを特徴とするものである。
【０００６】
請求項１１記載の発明は、画像表示制御手段により表示器に自己キャラクタと相手キャラクタとを表示させ、自己キャラクタが行う各種の自己側作戦である対決項目のうちから１つの対決項目の選択を行うための操作部を介してプレーヤからの指示に応じた対戦のための作戦を実行させることによって所定のルールに従った優劣結果を得るようにコンピュータに実行させるゲーム装置のゲーム実行制御プログラムであって、前記コンピュータを、自己キャラクタが行う各種の自己側作戦である対決項目と各自己側作戦が成功する成功確率とを各対決項目と関連付けて記憶する記憶手段と、前記操作部で選択された自己側作戦である対決項目と、該自己側作戦である対決項目の選択に対応して設定されており、前記自己側作戦である対決項目の各々に対抗する相手キャラクタの複数の相手側作戦である対決項目との一致、不一致を判断すると共に、前記操作部で選択された自己側作戦である対決項目と、前記相手側作戦である対決項目であってそれぞれ成功確率が対応付けられた相手側作戦である対決項目とから両対決項目の成功確率に基づいて、自己キャラクタの実行する自己側作戦が成功するか否かを決定する決定手段として機能させ、前記決定手段は、擬似乱数を発生する乱数発生手段を備え、両対決項目が一致した場合には、作戦が的中して有利となった側の成功確率と前記擬似乱数との大小によって、不一致の場合には、作戦を外して有利となった側の成功確と前記擬似乱数との大小によって、自己キャラクタの実行する自己側作戦が成功するか否かを決定することを特徴とするものである。
【０００７】
請求項１２記載の発明は、画像表示制御手段により表示器に自己キャラクタと相手キャラクタとを表示させ、自己キャラクタが行う各種の自己側作戦である対決項目のうちから１つの対決項目の選択を行うための操作部を介してプレーヤからの指示に応じた対戦のための作戦を実行させることによって所定のルールに従った優劣結果を得るようにコンピュータに実行させるゲーム装置のゲーム実行制御方法であって、記憶制御手段が、自己キャラクタが行う各種の自己側作戦である対決項目と各自己側作戦が成功する成功確率とを各対決項目と関連付けて記憶し、決定手段が、前記操作部で選択された自己側作戦である対決項目と、該自己側作戦である対決項目の選択に対応して設定されており、前記自己側作戦である対決項目の各々に対抗する相手キャラクタの複数の相手側作戦である対決項目との一致、不一致を判断すると共に、前記操作部で選択された自己側作戦である対決項目と、前記相手側作戦である対決項目であってそれぞれ成功確率が対応付けられた相手側作戦である対決項目とから両対決項目の成功確率に基づいて、自己キャラクタの実行する自己側作戦が成功するか否かを決定するものであって、前記決定手段が、擬似乱数を発生する乱数発生手段を備え、両対決項目が一致した場合には、作戦が的中して有利となった側の成功確率と前記擬似乱数との大小によって、不一致の場合には、作戦を外して有利となった側の成功確と前記擬似乱数との大小によって、自己キャラクタの実行する自己側作戦が成功するか否かを決定することを特徴とするものである。
【０００８】
これらの発明によれば、表示器に自己キャラクタと相手キャラクタの画像が表示され、これらのキャラクタを通して対戦ゲーム、すなわち自己側作戦のうちから所望の１つの対決項目の選択を行うための操作部を介してプレーヤからの指示に応じた対戦のための作戦を実行させることによって所定のルールに従った優劣結果が得られる。すなわち、自己キャラクタが行う各種の自己側作戦である対決項目と各自己側作戦が成功する成功確率とを関連付けて第1の記憶手段に記憶されており、一方、自己側作戦である対決項目の選択に対応して、前記各自己側作戦である対決項目に対抗する相手キャラクタの複数の相手側作戦である対決項目であってそれぞれ成功確率が対応付けられた相手側作戦である対決項目が設定されると、決定手段によって、前記操作部で選択された自己側作戦である対決項目と、該自己側作戦である対決項目の選択に対応して設定されており、前記自己側作戦である対決項目の各々に対抗する相手キャラクタの複数の相手側作戦である対決項目との一致、不一致が判断されると共に、前記操作部で選択された自己側作戦である対決項目と、前記相手側作戦である対決項目であってそれぞれ成功確率が対応付けられた相手側作戦である対決項目とから両対決項目の成功確率に基づいて、自己キャラクタの実行する自己側作戦が成功するか否かが決定される。この決定手段では、両対決項目が一致した場合には、作戦が的中して有利となった側の成功確率と前記乱数発生手段からの擬似乱数との大小によって、不一致の場合には、作戦を外して有利となった側の成功確と前記乱数発生手段からの擬似乱数との大小によって、自己キャラクタの実行する自己側作戦が成功するか否かが決定される。従ってプレーヤが指示した作戦通りのゲーム実行結果になる保証がないため、意外性の高いゲームが提供可能となる。
【０００９】
請求項２記載の発明は、請求項１記載のゲーム装置において、相手キャラクタが実行する各種の相手側作戦である対決項目と各相手側作戦が成功する成功確率とを相手側作戦である対決項目と関連付けて記憶する第２の記憶手段と、相手キャラクタの実行する相手側作戦を第２の記憶手段から選択的に設定するコンピュータで構成される相手側作戦設定手段とを備えることを特徴とするものである。この構成によれば、１台のゲーム装置の中で、自己キャラクタへの作戦指示に対し、相手キャラクタの作戦がコンピュータによって設定されるので、プレーヤは１人でも本ゲームを行うことが可能となる。
【００１０】
請求項３記載の発明は、請求項１記載のゲーム装置において、相手キャラクタは他のゲーム装置に設定され、前記他のゲーム装置は、前記相手キャラクタのための、前記第1の
記憶手段、前記操作部及び決定手段に対応する構成を備えており、各ゲーム装置は互いに通信部を介して接続されて、各表示器において前記自己側作戦及び相手側作戦が実行される同事象の画像が表示されることを特徴とするものである。この構成によれば、本ゲーム装置と他のゲーム装置の表示器に表示されるそれぞれのキャラクタに対して作戦の指示がされ、それらの作戦指示情報が通信部を介して各ゲーム装置に送信されるので、各ゲーム装置を介して２人のプレーヤで本ゲームを行うことが可能となる。
【００１１】
請求項４記載の発明は、請求項１〜３のいずれかに記載のゲーム装置において、前記自己側作戦及び相手側作戦の実行が１のシーケンスを構成するとともに、前記ゲームは複数のシーケンスの連続で形成され、前記所定のルールは各シーケンスの結果の履歴によってゲームの優劣結果を決めるものであることを特徴とするものである。この構成によれば、プレーヤによって自己キャラクタ、相手キャラクタに指示した作戦の行動を行わせる毎に１つのシーケンスが実行され、かかるシーケンスが複数回連続して実行されることでゲームが終了する。各シーケンスが実行されたときの各履歴によって、ゲームの優劣結果が得られる。これにより、複数回のシーケンスの実行によってゲーム結果が得られるので、ゲーム性が高まる。
【００１２】
請求項５記載の発明は、請求項１記載のゲーム装置において、前記シーケンスの履歴からゲーム状況を判断するゲーム状況判断手段と、前記ゲームの状況に応じて前記自己側作戦である各対決項目及び相手側作戦である各対決項目の各成功確率の少なくとも一方を増減させるパラメータを記憶するパラメータ記憶手段とを備え、前記決定手段は、前記ゲーム状況判断手段からの判断結果に応じた前記パラメータで前記自己側作戦である各対決項目及び相手側作戦である各対決項目の各成功確率のうち変更対象の成功確率を変更することを特徴とするものである。この構成によれば、ゲームの状況に応じて自己側作戦である各対決項目及び相手側作戦である各対決項目の各成功確率のうち変更対象の成功確率が変更される。これにより、プレーヤに意外性と予測性を付与するゲームの提供が可能となる。
【００１３】
請求項６記載の発明は、請求項１又は５記載のゲーム装置において、前記操作部で選択可能な自己側作戦である各対決項目を設定する作戦項目設定手段を備え、前記画像表示制御手段は、前記表示器に作戦項目設定手段で設定された自己側作戦である各対決項目を表示するもので、前記作戦項目設定手段は、現在までの各シーケンスの結果の履歴に応じて自己側作戦である各対決項目をシーケンス毎に設定することを特徴とするものである。この構成によれば、作戦項目設定手段によって、操作部で選択可能な自己側作戦である各対決項目が現在までの各シーケンスの結果の履歴に応じてシーケンス毎に設定される。そして、設定された自己側作戦である各対決項目が表示器に表示される。従って、シーケンス毎に、選択可能な自己側作戦が変更される可能性も有り、より高いゲーム性が実現可能となる。
【００１４】
請求項７記載の発明は、請求項１又は５記載のゲーム装置において、前記操作部で選択可能な自己側作戦である各対決項目を設定する作戦項目設定手段と、自己キャラクタに設定されている能力を記憶する能力記憶手段とを備え、前記画像表示制御手段は、前記表示器に作戦項目設定手段で設定された自己側作戦である各対決項目を表示するもので、前記作戦項目設定手段は、自己キャラクタの能力に応じて自己側作戦である各対決項目をシーケンス毎に設定することを特徴とするものである。この構成によれば、作戦項目設定手段によって、操作部で選択可能な自己側作戦である各対決項目が自己キャラクタの能力に応じてシーケンス毎に設定される。そして、設定された自己側作戦である各対決項目が表示器に表示される。
【００１５】
請求項８記載の発明は、請求項６又は７記載のゲーム装置において、前記作戦項目設定手段は、前記表示器に自己側作戦である各対決項目を表示すると共に、前記表示器に表示された自己側作戦である各対決項目に対応する成功確率と、前記表示器に表示された自己側作戦である各対決項目と一致する相手キャラクタの相手側作戦である各対決項目の成功確率とを表示することを特徴とするものである。この構成によれば、自己側作戦である各対決項目に対応する成功確率と、自己側作戦である各対決項目と一致する相手キャラクタの相手側作戦である各対決項目の成功確率とが表示器に表示されるので、プレーヤは、互いの成功確率が確認でき、作戦選択の駆け引きを誘導するようなゲームが提供可能となる。
【００１６】
請求項９記載の発明は、請求項６〜８のいずれかに記載のゲーム装置において、ゲームは野球を模擬したゲームであり、自己キャラクタが投手を模擬したキャラクタの場合、前記作戦項目設定手段は、自己キャラクタが投げるボールを模擬したボールキャラクタの球種の項目を設定することを特徴とするものである。この構成によれば、本ゲームが野球ゲームに適用され、自己キャラクタが投手を模擬したキャラクタの場合には、前記作戦項目設定手段によって、自己キャラクタが投げるボールを模擬したボールキャラクタの球種の項目が設定される。これにより、ボールキャラクタの球種の変更が可能となる。
【００１７】
請求項１０記載の発明は、請求項７〜９のいずれかに記載のゲーム装置において、ゲームは野球を模擬したゲームであり、自己キャラクタが打者を模擬したキャラクタの場合、前記作戦項目設定手段は、前記自己キャラクタが所持するバットを模擬したバットキャラクタの前記球種に対応したスイングの方法の項目を設定することを特徴とするものである。この構成によれば、本ゲームが野球ゲームに適用され、自己キャラクタが打者を模擬したキャラクタの場合、前記作戦項目設定手段によって、自己キャラクタが所持するバットを模擬したバットキャラクタの前記球種に対応したスイングの方法の項目が設定される。これにより、バットキャラクタのスイング位置等のスイング方法の変更が可能となる。
【発明の効果】
【００１８】
請求項１，１１，１２記載の発明によれば、プレーヤが指示した作戦通りのゲーム実行結果になる保証がないため、意外性の高いゲームが提供できる。
【００１９】
請求項２記載の発明によれば、１台のゲーム装置の中で、自己キャラクタへの作戦指示に対し、相手キャラクタの作戦をコンピュータによって設定するようにしたので、プレーヤは１人でも本ゲームを行うことができる。
【００２０】
請求項３記載の発明によれば、本ゲーム装置と他のゲーム装置の表示器に表示されるそれぞれのキャラクタに対して作戦の指示をさせ、それらの作戦指示情報を通信部を介して各ゲーム装置に送信するので、各ゲーム装置を介して２人のプレーヤで本ゲームを行うことができる。
【００２１】
請求項４記載の発明によれば、複数回のシーケンスの実行によってゲーム結果が得られるので、ゲーム性が高めることができる。
【００２２】
請求項５記載の発明によれば、プレーヤに意外性と予測性を付与するゲームを提供できる。
【００２３】
請求項６記載の発明によれば、シーケンス毎に、選択可能な自己側作戦が変更される可能性も有り、より高いゲーム性が実現できる。
【００２４】
請求項７記載の発明によれば、シーケンス毎に、選択可能な自己側作戦が変更される可能性も有り、より高いゲーム性が実現できる。
【００２５】
請求項８記載の発明によれば、プレーヤに対し、互いの成功確率が確認でき、作戦選択の駆け引きを誘導するようなゲームを提供できる。
【００２６】
請求項９記載の発明によれば、本ゲームを野球ゲームに適用でき、しかも自己キャラクタが投手の場合に、ボールキャラクタの球種の変更を可能とすることができる。
【００２７】
請求項１０記載の発明によれば、本ゲームを野球ゲームに適用でき、しかも自己キャラクタが打者の場合に、バットキャラクタのスイング位置等のスイング方法の変更を可能とすることができる。
【発明を実施するための最良の形態】
【００２８】
図１は、本発明に係るゲーム装置の一実施形態を示す外観構成図である。本ゲーム装置は、所定の立体構造、例えば略直方体形状の筐体１を備え、前面側の略中央に遊技者であるプレーヤが所定形状の選手カードを載置する載置面２０（図２参照）を有するカード載置部２が形成され、その上部にゲーム画像の表示を行うＣＲＴ表示器、液晶表示器等のモニタ３が立設され、モニタ３の左右には音声出力や効果音の演出を行うスピーカ４１，４２が配設されている。また、左右のスピーカ４１，４２の一方、ここでは右側のスピーカ４１の上部には個人カードの挿入口５が設けられ、左側のスピーカ４２の上部には後述する選手カードの発行口６が設けられている。個人カード挿入口５、選手カード発行口６の上部には電飾効果を演出する発光部７１，７２がそれぞれ配設されている。なお、載置部２の所定位置には、ゲームの開始条件としてのコインの投入をガイドするコイン投入口８が形成されている。
【００２９】
図２は、カード載置部２の構成を示す斜視図の一例である。カード載置部２は、上面側が所定形状、ここでは四角形の形状をなし、水平かつ平面状とされている。本ゲーム装置は、本実施形態では、野球ゲームを想定しており、従ってカード載置部２には野球場のフィールドを模擬した絵が描画されている。なお、選手カード９は、図３（ａ）に示すように、所定形状を有するものが採用可能であり、本実施形態では、長方形をしたものを採用している。カード載置部２には、左右方向に所定間隔でカードを載置するための載置面２０が複数、本実施形態では１０枚のカードが載置可能なように準備されている。載置面２０は選手カード９の幅寸法に対応して形成されており、左右側には、選手カード９を載置位置から一の方向、例えば前後方向にスライドを容易に案内するための補助材としてのガイド部材、例えば選手カード９の幅寸法だけ離間してスライド方向（ここでは前後方向）に伸びた一対の突条体２１が形成されている。突条体２１の前後方向の寸法は選手カード９のスライド幅に対応して設定されている。
【００３０】
図３は、選手カードの構成及び載置面との関係を説明するための図で，（ａ）は選手カードの構成と載置面との関係を示す斜視図、（ｂ）は選手カードの裏面の表記内容を示す図である。図３（ａ）においては、説明の便宜上、選手カード９を載置面２０から浮かして表現している。図３（ａ）に示すように、載置面２０は、中央部２０１と前後方向のスライド部２０２とから構成されている。中央部２０１は選手カード９と同一寸法を有し、スライド部２０２は中央部２０１に対して前後方向に所要寸法を有する。例えば選手カードの長手方向の長さの略半分の寸法としてもよい。スライド部２０２は、後述するように選手カード９を、矢印で示す範囲内において、中央部２０１に対してずらして（スライドして）載置することで、選手カード９に対応するモニタ３に表示されるキャラクタの、後述する行動の態様に変化を与えるものである。選手カード９は、表面に選手キャラクタイメージが、裏面には、視認可能にされた選手の顔写真のイメージと名前等の選手情報、及び視認不可にされた選手識別データが印刷されている。
【００３１】
図３（ｂ）に示すように、選手カード９の裏面に印刷されたマークは、載置面２０上での選手カード９の載置位置を検出する位置検出用マーク９１と、選手カード９に対応した選手キャラクタの識別用のデータであるキャラクタデータ（以降ではパラメータという）を表すキャラクタマーク９２を含む。選手識別データとしては、識別番号を利用可能である。ここでは説明の便宜上、選手カード９を６列×１０行のマス目に分割し、その周囲を位置検出用マーク９１として用い、その内側の４列×８行のマス目をキャラクタマーク９２としているが、実際には、必要なデータが格納可能な行列数を用いたマス目に区分けされている。
【００３２】
位置検出用マーク９１は４辺の内の隣接する２辺の全マス目に、残りの２辺における行列方向の交互のマス目に、所定の材料が塗布等されている。このように、連続する部分と、交互する部分とを設けることで、前後逆向きの誤載置を検知して正しい向きでの位置検出を確実にしている。
【００３３】
キャラクタマーク９２は、外周より１マス目分内側の各マス目を各１ビットとして前記所定の材料を塗布等することで選手識別データを形成している。全てのゲーム装置内には、全選手に対して、選手識別データに対応して選手のキャラクタデータ（パラメータ）が所要のメモリ部に予め格納され、ゲームの際には、選手カード９の読み取りによって特定された選手識別データの選手パラメータが予め格納されたメモリ部から読み出されて利用される。
【００３４】
塗布のための材料は、視認可能な材料でもよいが、本実施形態では、後述する赤外光を検知する手段を利用することから、視認不可の、例えば赤外光に反応する材料を用いている。一例として、選手カード９は赤外光を吸収する材料で形成され、あるいは裏面を吸収材料でコーティングし、これに対してマークが表記されている。また、カード載置部２の少なくとも載置面２０は赤外光に対して透過性を有するものが採用されている。キャラクタマーク９２は、キャラクタを特定する識別情報とその能力（スキルを含む）を示している。
【００３５】
能力としては、例えば打者用の場合、共通項目としての、「弾道」、「ミート」、「パワー」、「走力」、「肩力」、「守備力」、「エラー回避値」、「メインポジション」等の野手パラメータが含まれ、さらにキャラクタ個々に応じて特殊能力項目としての、「威圧感」、「左ミート補正」、「左パワー補正」、「チャンス補正」、「スイングタイミング」、「アベレッジヒッター」、「パワーヒッター」、「チャンスメーカー」、「サヨナラ男」、「逆境」、「流し打ち」、「広角打法」、「内野安打」、「バンド」、「満塁男」、「代打男」、「三振男」、「初球打ち」、「固め打ち」、「連打」、「４番打者」、「アベックアーチ」、「粘り男」、「守備職人」、「盗塁」、「体当たり」、「走塁」、「ホームスライディング」、「送球」、「ブロック」、「ムードメーカー」、「タイムリーエラー」、「初回先頭打者本塁打男」、「捕手リードレベル」、「レーザービーム（返球の素早さ）」等の野手パラメータが含まれる。
【００３６】
また、投手用の場合、共通項目としての、「球速」、「スライダー変化」、「カーブ変化」、「フォーク変化」、「シンカー変化」、「シュート変化」（これらを変化球レベルという）、「コントロール」、「ストレート球威」、「投球体格」、「先発調整力」、「疲労回復力」等の投手パラメータが含まれ、さらにキャラクタ個々に応じて特殊能力項目としての、「威圧感」、「左打者補正」、「ピンチ」、「打たれ強さ」、「ランナー」、「立ち上がり」、「尻上がり」、「寸前」、「リリース」、「勝負運」、「牽制」、「打球反応」、「短気」、「四球」、「危険失投率」、「クイック」、「接戦」、「責任感」、「力配分」、「球速安定」、「ポーカーフェイス」等の投手パラメータが含まれる。これらの野手パラメータ及び投手パラメータは、ここでは全ての選手キャラクタに対して設定される。また、これらの各パラメータはその能力乃至は傾向（プラス方向、マイナス方向）の有無が、所要段階のレベル、例えば２段階（有、無）とか３段階（高、中、低）で、さらにはそれ以上の段階で規定されている。
【００３７】
図４は、ゲーム装置の側面断面図であり、図５はその正面図である。図４において、モニタ３の管面上には透明な薄層条の感圧素子であるタッチパネル１０が積ねて配置されている。このタッチパネル１０は指等で押圧された位置を縦横位置を示す電圧レベルで出力するものである。すなわち、タッチパネル１０は長方形状をした薄層体で、縦横にそれぞれ所定ピッチで線状の透明材からなる感圧素材を配列したものを透明カバーで被覆する等により構成されたもので、モニタ３の管面上に貼付されている。このタッチパネル１０は公知の物が採用可能であり、モニタ３の画面に表示される選択などを促すボタンのアドレスと押圧位置とからいずれのボタンが指示されたかが検出し得るようにしている。
【００３８】
また、筐体１の内部であって載置面２０の下方には撮像部１１が配設されている。撮像部１１は、載置面２０に置かれた選手カード９の載置位置の検出用及び選手カード９の裏面の情報の読取用として機能し、撮像動作を制御すると共に撮像画像の処理を行う撮像画像処理部１１１の収納筐体と、その上部に取り付けられた撮像手段（ＣＣＤカメラ等のデジタル撮像器）としてのイメージセンサ１１２と、赤外光を発生する光源１１３とで構成されている。イメージセンサ１１２は載置面２０に置かれた選手カード９の裏面のマーク９１，９２を撮像するべく、全ての載置面２０が視界に含まれるように画角が設定されている。なお、図では見えていないが、本実施形態ではイメージセンサ１１２は左右方向（図４では紙面奥行き方向）に所定台数並設、例えば２台配置され、各イメージセンサ１１２が右半分の５つの載置面２０、左半分の５つの載置面２０を含む視野として設定されている。
【００３９】
光源１１３は、光源支持部材１１３ａに指示されてカード載置部２の前後方向斜め下方位置に設けられ、この斜め下方方向から載置面２０に向けて所定波長域の、ここでは赤外線（遠赤外線含む）の光を発光し、この赤外光を載置面２０に照射、すなわち載置面２に配置される選手カード９の裏面に照射するもので、全ての載置面２０を均等に照射するべく、左右方向に亘り、所要の間隔を置いて乃至は略連続的に配列されている。また、より均等照射を図るために、載置面２０の前側と後側とに配置されていると共に、撮像の障害とならないようにイメージセンサ１１２の画角外に取付けられている。イメージセンサ１１２は、多数の光電変換素子が例えばマトリクス状に配列されているもので、光源１１３からの赤外線が載置面２０上の選手カード９の裏面で反射した、マーク９１，９２を表す赤外光の光像を各光電変換素子で周期的に受光、すなわち受光量に応じたレベルの電気信号に変換するもので、図略の光電変換素子の前面にはこの赤外光のみを好ましくは透過させる図略のフィルタが配置されている。撮像画像処理部１１１は、周期的に撮像された撮像画像を内部の図略のメモリへ転送する（取り込む）処理を行うと共に、該メモリに展開された撮像画像から前記位置検出用マーク９１をメモリのアドレスとして抽出し、その形状を、例えばパターン認識技術等を利用するなどして特定することで、選手カード９の載置面２０上のカード載置位置を算出する。また、撮像画像処理部１１１は、撮像画像中の前記位置検出用マーク９１の検出画素アドレスの情報を利用して前記キャラクタマーク９２の選手識別データを、例えば行列方向の各マス目のビット情報として読み取る。
【００４０】
筐体１内部には、本ゲーム装置の各部に所要レベルの電源供給を行うための電源部１２、ゲーム処理を統括的に実行させるための制御基板類が内装された制御基板部１３が配置されている。
【００４１】
図６は、制御基板部に内蔵される制御部と各部とのハードウェアを示すブロック図である。なお、図において、制御部３００と各部との間のインターフェースや制御指示を受けて各部を駆動させる駆動信号を生成する部分は常套手段のものとして必要に応じて省略している。
【００４２】
通信部１３０は他のゲーム装置ＡＧＭとの間でデータの送受信を行うものであると共に、図略のセンターモニタＣＭにゲーム信号情報等のデータを必要に応じて送信するためのものである。本ゲーム装置は、店舗（遊技場）に所要台数設置されていることを想定しており、センターモニタＣＭは、内部にセンターモニタ用の画像表示処理部を含むコンピュータを備えており、それぞれのゲーム装置の稼働信号を受信してその使用状況や、ゲーム実行中のゲームの状況の信号を受信してそれらを選択的に、あるいはゲームの状況が、例えば得点差が大きいとか、逆に同点とか、あるいは最終回でピンチ、チャンス等の特別な状況にあるようなゲーム画像を店舗内に放映して、プレイ意欲の喚起を促進させるものである。なお、本ゲーム装置は、複数の店舗に設置されている態様では、異なる店舗間で通信部１３０を介して対戦可能とされる。
【００４３】
タッチパネル１０及び撮像部１１は操作部１０Ａを構成する。また、ゲーム開始条件としてのコイン投入口８の内部には、投入コインの真贋及び必要な枚数の計測を行うコインセンサ８１が設けられている。投入されたコインは筐体内部の図略の金庫（ボックス）に収納される。個人カード受付部５１は個人カード挿入口５の内部に設けられ、挿入されたカードからプレーヤが会員であるか否かとか、ゲーム履歴などの情報を読み取って管理用として利用すると共に、ゲーム終了後に、履歴を更新して個人カード挿入口５から返却するものである。選手カード発行部６０は、内部の図略のカード収納部に多数枚の選手カード９が積層状態で収容されており、ゲーム終了毎に、このカード収納部から所定枚数、ここでは１枚の選手カード９をピックアップ部で選手カード発行口６まで搬出し、プレーヤに提供（贈呈）するものである。これにより、プレーヤが選手カードを収集する仕組みを形成し、かつプレイ喚起を図っている。なお、ゲーム結果に応じて発行枚数を可変式としてもよい。
【００４４】
ＲＯＭ３００１は、本ゲームを稼働するためのゲームプログラム、モニタ３に表示される全ての画像データ、ゲーム空間内で３次元画像を生成するための描画処理プログラムを格納すると共に、ゲームの進行乃至はゲーム結果を決定するために必要なパラメータ類や判定のための要素となる種々のデータをテーブル形式で格納している。特に、本実施形態では野球ゲームを想定している関係上、現実の野球のルールに沿うように守備側、攻撃側の処理を実行する制御プログラムが作成され、格納されていると共に、本ゲームにキャラクタとして登場予定の全ての選手の野手パラメータ及び投手パラメータが選手識別データに対応付けられて格納されている。
【００４５】
ＲＡＭ３００２は処理途中のデータを一時的に保管するもので、ＲＯＭ３００１から読み出された各種データ、撮像部１１で得られた各選手カード９の能力等の各種ラメータがゲーム中保管され、必要に応じて読み出されてゲームへの反映を可能にしている。
【００４６】
ビデオＲＡＭ３１は、モニタ３の表示画素に対応するメモリ容量を少なくとも有するもので、表示画像の形成用として用いられる。また、描画処理部３０２１は、制御部３００からの描画命令を受けてビデオＲＡＭ３１への表示画像の展開を担うハードウェア回路部である。  
【００４７】
図７は、制御部の機能を説明するブロック図である。制御部３００は、ゲームプログラム及び操作部１０Ａへの入力操作に基づいて、本ゲームの進行を統括的に制御するゲーム進行処理部３０１、モニタ３へのゲーム画像の表示を制御する画像表示制御部３０２、操作部１０Ａからの入力操作情報を受け付ける受付部３０３、モニタ３に表示される対決項目、すなわち対決の種類乃至は個数を設定し、更にはそれらの各対決項目の成功確率を算出する対決項目設定部３０４、受付部３０３で受け付けた内容に基づいて投球データ、あるいはバッティングデータを作成する行動設定部３０５、他のゲーム装置ＡＧＭとの間で投球データ、あるいはバッティングデータの交換、及びセンターモニタＣＭに必要なデータの送受信を通信部１３０を介して行わせる通信処理部３０６、行動設定部３０５及び他のゲーム装置ＡＧＭから受信したデータに基づいて対決結果を決定する決定部３０７、確率処理に利用される擬似乱数を発生する乱数発生部３０８、ゲームの対決結果に影響を与えるゲーム状況を判断するための状況判断部３０９、決定部３０７での決定内容、操作部１０Ａからの入力操作内容、及び自己キャラクタが投手の場合には投手パラメータを、打者の場合には野手パラメータを用いて、あるいは入力操作無しで、それぞれ実行される１つのシーケンスを制御する単位シーケンス実行部３１０、選手カード９の発行を行わせるための選手カード発行処理部３１３、及び本ゲーム装置を用いて内部のコンピュータと対決する、いわゆるＣＰＵ対戦を実行するべく、相手側の処理を代行する相手側作戦設定部３１４を備える。
【００４８】
画像表示制御部３０２は、ゲーム進行に従った所要の画像をモニタ３に表示させるもので、ビデオＲＡＭ３１等を備える。
【００４９】
本実施形態では、ゲーム装置を操作する遊技者であるプレーヤから行動の指示を与えられる自己キャラクタ、相手プレーヤ（他のゲーム装置又は内部のＣＰＵプレーヤ）から指示を与えられる相手キャラクタが、投手と打者の関係になって対決する１打席分の行動（以下、１つのシーケンスという）を実行させ、このシーケンスを野球ルールに従って３アウトカウント分、９イニング分の合計２７回（連続して）実行させることで、最終的な得点の多少で優劣、すなわちゲーム結果を競う野球ゲームを想定している。但し、本実施形態では、ゲーム上で実行するのは、打者１人に対して１球の対決でゲームが進行するようにしている。
【００５０】
自己キャラクタ、相手キャラクタ、必要に応じて他の選手キャラクタ及び野球場を模擬した背景画等は３次元描画が可能なように、それを構成する所要数のポリゴンで構成されており、描画処理部３０２１（図６）は画像表示制御部３０２からの描画指示に基づいて、３次元空間上での位置から擬似３次元空間上での位置への変換のための計算、光源計算処理等を行なうと共に、上記計算結果に基づいてビデオＲＡＭ３１に対して描画すべき画像データの書き込み処理、例えば、ポリゴンで指定されるビデオＲＡＭ３１のエリアに対するテクスチャデータの書き込み（貼り付け）処理を行う。
【００５１】
ここで、画像表示制御部３０２の動作と描画処理部３０２１の動作の関係を説明する。画像表示制御部３０２は、ＲＯＭ３００１に記録されているオペレーティングシステム（ＯＳ）に基づいて、ＲＯＭ３００１から画像データ及び制御プログラムデータ、ゲームプログラムデータを読み出す。読み出された画像データ及び制御プログラムデータ等の一部若しくは全部は、ＲＡＭ３００２上に保持される。以降、画像表示制御部３０２は、ＲＡＭ３００２上に記憶されている制御プログラムのうちの描画処理部分、各種データ（表示物体のポリゴンやテクスチャ等その他の文字画像を含む画像データ、音声データ）、並びに検出部からの検出信号等に基づいて画像表示処理を進行する。すなわち、画像表示制御部３０２は、ゲーム進行に基づいて、適宜、描画や音声出力のためのタスクとしてのコマンドを生成する。描画処理部３０２１は、上記コマンドに基づいて、視点位置の計算、視点位置に対する３次元空間上（勿論、２次元空間上においても同様である）におけるキャラクタの位置等の計算、光源計算等、音声データの生成、加工処理を行う。続いて、上記計算結果に基づいて、ビデオＲＡＭ３１に描画すべき画像データの書き込み処理等を行なう。ビデオＲＡＭ３１に書き込まれた画像データは、（インターフェースを介してＤ／Ａコンバータに供給されてアナログ映像信号にされた後に）モニタ３に供給され、その管面上に画像として表示される。同様に、音声データや効果音データも、ＲＯＭ３００１からＲＡＭ３００２を介して出力され（インターフェースを介してＤ／Ａコンバータに供給されてアナログ音声信号に変換された後に、アンプを介して）スピーカ４１，４２から音声として出力される。
【００５２】
描画命令としては、ポリゴンを用いて立体的な画像を描画するための描画命令、通常の２次元画像を描画するための描画命令がある。ここで、ポリゴンは、多角形の２次元画像であり、本実施形態においては、三角形若しくは四角形が用いられる。ポリゴンを用いて立体的な画像を描画するための描画命令は、ＲＯＭ３００１から読み出されたポリゴン頂点アドレスデータ、ポリゴンに貼り付けるテクスチャデータの記憶位置を示すテクスチャアドレスデータ、テクスチャデータの色を示すカラーパレットデータの記憶位置を示すカラーパレットアドレスデータ並びにテクスチャの輝度を示す輝度データとからなる。１つのキャラクタ（またはオブジェクト）は多数のポリゴンで構成される。画像表示制御部３０２は、各ポリゴンの３次元空間上の座標データをＲＡＭ３００２に記憶する。そして、モニタ３の画面上でキャラクタ等を動かす場合、次のような処理が行われる。
【００５３】
画像表示制御部３０２は、ＲＡＭ３００２内に一時保持している各ポリゴンの頂点の３次元座標データと、各ポリゴンの移動量データ及び回転量データとに基づいて、順次、各ポリゴンの移動後及び回転後の３次元座標データを求める。このようにして求められた各ポリゴンの３次元座標データの内、水平及び垂直方向の座標データが、ＲＡＭ３００２の表示エリア上のアドレスデータ、すなわちポリゴン頂点アドレスデータとして、描画処理部３０２１に供給される。描画処理部３０２１は、３個若しくは４個のポリゴン頂点アドレスデータによって示される三角形若しくは四角形の表示エリア上に、予め割り当てられているテクスチャアドレスデータが示すテクスチャデータを書き込む。これによって、モニタ３の表示面上には、多数のポリゴンにテクスチャデータの貼り付けられたキャラクタ（またはオブジェクト）が表示される。
【００５４】
受付部３０３は、操作部１０Ａから、すなわちタッチパネル１０からのプレーヤによる押圧情報、撮像部１１からのプレーヤ操作による選手カードの載置位置情報、及び選手カード９の裏面の選手識別データに対応するＲＯＭ３００１内の選手キャラクタの能力を示す投手パラメータや野手パラメータの情報を受け付けるものである。
【００５５】
ＲＯＭ３００１内には、対決項目として、投手側には「直球で押せ」、「コースを突け」、「変化球でかわせ」、「緩急をつけろ」等が、打者側には、投手側に対応する項目として「直球に絞れ」、「コースを見極めろ」、「変化球を狙え」、「緩急に合わせろ」等が格納されている。対決項目は、これらに限らず、所要数が準備されてもよい。投手側の「直球で押せ」と打者側の「直球に絞れ」とが、投手側の「コースを突け」と打者側の「コースを見極めろ」とが、投手側の「変化球でかわせ」と打者側の「変化球を狙え」とが、そして、投手側の「緩急をつけろ」と打者側の「緩急に合わせろ」とが一致する対決内容（作戦の一致）となる。また、各対決項目には成功確率が対応付けて記憶されている。例えば「直球で押せ」は９０％、「コースを突け」は８０％等である。投球のコースは、ゲーム空間内の仮想のホームベース上が予め複数の領域に区分けされており、例えばマトリクス状に区切られて、それぞれのマス目に対応してコースが設定されている。球速は、後述する投手パラメータに対応して所定の値及び緩急のための値が設定されている。同様に、打撃の場合にも、後述する野手パラメータに対応して所定のスイング速度、スイング位置が設定されている。
【００５６】
また、ＲＯＭ３００１内には、采配項目として、守備側に対して、「盗塁警戒」、「エンドラン警戒」、「バントシフト」、「ゲッツーシフト」、「長打シフト」の５つが格納されており、攻撃側に対して、「バンド」、「送りバント」、「ヒット＆ラン」、「盗塁（重盗）」、「二盗」、「三盗」、「スクイズ」の７つの采配項目が格納されている。なお、その他の采配項目を採用し、また追加する態様としてもよい。
【００５７】
画像表示制御部３０２は、図１２で「選手を呼ぶ」ボタンが押下された場合に、自己キャラクタが投手であれば、図１３に示す作戦指示の画面を表示し、打者であれば、図１４に示す作戦指示の画面に移行させる。図１３には、「直球で押せ」、「コースを突け」、「変化球でかわせ」の３つの対決項目を表すボタンが表示されている。図１４には、「直球に絞れ」、「コースを見極めろ」、「変化球を狙え」の３つの対決項目を表すボタンが表示されている。なお、図１４の対決項目の表示のための指示は、図１３でいずれかの対決項目がプレーヤによって選択されたことを条件に、その送信が行われて実行されるようにしている。これは、図１５と図１６との関係においても場合にも同様である。
【００５８】
また、図１３，図１４に示すように、各対決項目には対応する成功確率が併記表示されている。より詳細には、自己キャラクタが投手の場合を示す図１３では、対決項目の右側に、対応する成功確率が表示され、左側に該対決項目に一致する打者側の対決項目に対応する成功確率が表示されている。例えば「直球で押せ」では、投手側の成功確率である制球率として８４％が、打者側の成功確率であるミート率として８９％が表示されている。自己キャラクタが打者の場合を示す図１４では、対決項目の右側に、対応する成功確率が表示され、左側に該対決項目に一致する投手側の対決項目に対応する成功確率が表示されている。これによりプレーヤはそれぞれの成功確率を参考にしながら作戦を立てる、すなわち対決項目を選択することができる。
【００５９】
また、画像表示制御部３０２は、図１２で「サインを送る」ボタンが押下された場合に、自己キャラクタが守備側であれば、図１５に示す采配指示の画面を表示し、攻撃側であれば、図１６に示す采配指示の画面に移行させる。図１５には、守備側として、「盗塁警戒」、「エンドラン警戒」、「バントシフト」、「ゲッツーシフト」、「長打シフト」の５つの采配項目を表すボタンが表示されている。図１６には、攻撃側として、「バント」、「送りバント」、「ヒット＆ラン」、「盗塁（重盗）」、「二盗」、「三盗」、「スクイズ」の７つの采配項目を表すボタンが表示されている。なお、ゲーム進行制御部３０１は、対決項目と采配項目の双方を選択可能な態様とすることも可能であるが、本実施形態では、対決項目の選択と采配項目の選択とはいずれか一方しか受け付受けできないようにしている。
【００６０】
対決項目設定部３０４は、「選手を呼ぶ」ボタンが押下されたときに実行されるもので、対決項目のうちから、図１３，図１４に示すように、モニタ３上で、タッチパネル１０を介してプレーヤが選択可能な対決項目を設定するものである。すなわち、モニタ３に表示される対戦項目の個数及び種類は、投手キャラクタ及び打者キャラクタに対応する各投手パラメータ、野手パラメータの中で下記特殊パラメータに基づいて設定される。例えば、予め、「直球に絞れ」、「コースを見極めろ」、「変化球を狙え」等の複数の項目を用意しておき、対決する投手の投手パラメータと打者の野手パラメータとの内容から、所定のルールに従って演算され、選択される。
【００６１】
対決項目設定部３０４は、パラメータのレベルとして、打者の能力が高く、かつ投手の能力が低い場合には、対決項目を減少して打者側が有利となるようにし、反対に、打者の能力が低く、かつ投手の能力が高い場合には、対決項目を増加させて、投手側が有利となるようにしている。例えば、投手の場合には、「左打者補正」、「ピンチ」、「ランナー」、「寸前」、「立ち上がり」、「尻上がり」、「接戦」、「責任感」の投手（特殊能力）パラメータを、打者の場合には、「左ミート補正」、「チャンス補正」、「サヨナラ男」、「逆境」、「満塁男」、「代打男」、「固め打ち」、「連打」、「４番打者」、「初回先頭打者本塁打男」、「アベックアーチ」、「チャンスメーカ」の野手（特殊能力）パラメータを、対決項目の数、種類を決定する要素として用いられる。もちろん、上記パラメータ以外の要素（パラメータ）を採用し、また追加してもよい。
【００６２】
行動設定部３０５は、操作部１０Ａからの入力操作情報及び選手のパラメータの一部から作戦結果を決定するために必要な情報、すなわち相手側のゲーム装置へ送信するためのデータを作成するものである。画像表示制御部３０２は、各シーケンス毎に、図１２に示すように、ゲーム画面内に作戦の選択をプレーヤに促すためのガイド画像、ここでは「選手を呼ぶ」と「サインを送る」の文字を含むボタンを表示する。行動設定部３０５は、この段階でプレーヤによってボタンが押されると、タッチパネル１０を介して、それらの対決の入力のための画面に移行させる。
【００６３】
ここで、操作部１０Ａから入力される情報のうち、撮像部１１からのカード載置位置情報は、選手キャラクタの行動が、如何なる態様で行われるかを仮想的に設定するべく、行動態様について複数のレベルが設定された属性の当該レベルの決定に反映される。
【００６４】
この属性のレベルは、投手であれば投球を全力乃至はセーブして行う時の（投球パワー）レベルであり、打者であればバットを振るパワーの（スイングパワー）レベルである。すなわち、属性のレベルとして、投手の場合、選手カード９が載置面の中央位置より前側であれば、より全力投球にして球速をより増す一方、被ミート率をより低くし、かつスタミナの消耗量をより大きくし、後側であれば、球速をよりセーブする（下げる）一方、被ミート率をより高くし、かつスタミナの消耗量をより小さくする。スタミナの消耗量は、予め管理されており、攻撃側でベンチにいる状況を想定し、その間に増加するようにしている、なお、投手の場合は投球パワーの大小によって予め設定された量ずつ減少する。
【００６５】
打者の場合、選手カード９が載置面の中央位置より前側であれば、パワーをより上げてバットをより強振させる一方、ミート率の値をより下げ、後側であれば、パワーをよりセーブしてバットの強振をよりなくさせる一方、ミート率の値をより上げる。打者の場合のパワーの増減は、打球の飛距離とスピードの高低に反映し、打球の弾道、すなわち打球の垂直角度の高低に反映し、かつヒット率に反映するようにしている。
【００６６】
また、行動設定部３０５は、図１２で「サインを送る」ボタンが選択されて、守備側であれば図１５に移行し、攻撃側であれば図１６に移行した場合の采配決定処理を行うものである。すなわち、行動設定部３０５は、プレーヤが守備側の場合、プレーヤが図１５に示すいずれかのボタンを選択し、あるいはプレーヤが攻撃側の場合、プレーヤが図１６に示すいずれかのボタンを選択するので、この選択内容を受付部３０３から受け付けて、その選択内容を采配選択結果として確定する。なお、この采配選択結果は、後述する単位シーケンス実行部３１０によって、実際の野球を模擬して（すなわち、野球ルールの制御プログラムに従って）、野手の守備位置の変更処理、走者の走塁処理に反映される。
【００６７】
行動設定部３０５は、送信用のデータとして、本実施形態では、投手データとしては、「リリースタイミング」、「球種」、「選択した対決項目」、「選択した采配項目」、「投球コース」、「属性レベル（全力〜セーブ）」を、打者データとしては、「スイングタイミング」、「選択した対決項目」、「選択した采配項目」、「打球方向」、「属性レベル（強振〜ミート）」を生成する。投手データの、「リリースタイミング」は投手パラメータ中の「リリース」（ベストなリリースタイミング）に対するずれ量が乱数発生部３０８を利用して、又はランダムな処理により設定され、「球種」は投手パラメータ中の各種の変化球のうちから、采配情報及び属性レベルを考慮して設定され、「投球コース」は投手と打者の両パラメータに基づいて設定される。打者データの、「スイングタイミング」は野手パラメータ中の「スイングタイミング」（ベストなスイングタイミング）に対するずれ量が乱数発生部３０８を利用して、又はランダムな処理により設定される。
【００６８】
通信処理部３０６は、操作部１０Ａからの選択内容に基づいて行動設定部３０５で生成した作戦情報を含む所定の情報を、互いに他方のゲーム装置に送信するものである。このように、各ゲーム装置は互いに相手側となるゲーム装置からのデータを受け取ることで、互いに同一の情報を持つことができる。
【００６９】
決定部３０７は、図１３、図１４に示す対決項目に対してプレーヤが選択した対決項目、対決項目の成功確率、撮像部１１から（受付部３０３を介して得られた）の選手カード９の載置面２０上の載置位置情報や当該選手のＲＯＭ３００１内のパラメータ情報、通信処理部３０６で受信した相手側からのデータから、選択された対決項目の態様である属性のレベルも加味して、対決の結果を決定するものである。また、決定部３０７は、それぞれのプレーヤが選択した対決項目の成功確率を、投手側、打者側についてそれぞれ、後述する乱数発生部３０８で発生する擬似乱数を用いて決定する、確率処理を施すことで、ヒットかアウト（空振り三振）かを決定する。すなわち、対決項目が一致した場合には、作戦が的中して有利となった側、すなわち打者側のデータを用いてヒット、アウトを決定し、不一致の場合には作戦を外して有利となった側、すなわち投手側のデータを用いてヒット、アウトを決定する。この時、スタミナ消耗量も反映される。あるいは、スタミナ量が所定の閾値以下となったと、図略の判定部によって判定された時は、選手交代の指示が出されるように設定するものとしてもよい。
【００７０】
さらに、決定部３０７は、対決項目、采配項目のいずれの選択も行われなかった場合には、互いに相手側のゲーム装置に送信される、対決項目及び采配項目の選択無しの状態の投手データ、打者データに基づいて、後述するヒッティング判定（図９）処理を行い、ヒットかアウトかを決定する。
【００７１】
乱数発生部３０８は、上記したように、予め所定のルールに従った擬似乱数を発生するもので、確率で結果が規定されている内容、ここでは対決項目に対する成功確率に対して擬似乱数を利用して確率処理を実行させるためのものである。例えば、対決項目が一致して打者が有利になった場合には、更にその成功確率が９０％の場合、１〜１００までカウント可能なカウンタを駆動させ、所定のルールで決定した時間で停止させた時の数値が１〜９０であれば成功（ヒット）と判定し、９１〜１００であれば失敗（空振り三振）と判断するようにしている。従って、成功確率が例えば９０％、つまり５０％を越えているからといって、直ちに成功するとの結果に直結しないようにして、期待感、意外性が加味されてゲーム性を高めている。乱数発生部３０８は、次のゲームの開始までに、またはゲーム開始時に、あるいは各シーケンスの開始時点で、ゲーム進行処理部３０１によって初期化されるようにしている。これにより、２台のゲーム装置間でゲームの対決を行うに当たっては、通信処理部３０６で互いのデータを交換する結果、同一の条件のもとで、すなわち同一のデータを利用して確率処理をすることとなるので、双方の乱数発生部３０８は常に一致した擬似乱数を発生し、従って対決結果を両ゲーム装置間で、常に一致させることができる。このことは、後述する単位シーケンス実行部３１０で、擬似乱数を用いて確率処理の演算を行う場合にも同様であり、通信処理部３０６でデータの交換をすることなしに、両ゲーム装置間で、常に処理内容を一致させることができる。これによって、両ゲーム装置のモニタ３に同一のゲーム進行画像を表示させることができる。
【００７２】
ゲーム状況判断部３０９は、シーケンスの実行数、すなわち野球であればイニング数とアウトカウント数や、直前までの各シーケンスの実行結果からゲームの状況（得点、ピンチ、チャンス等）を判断するもので、この結果が、予め設定された特別な状況（例えば最終回など）、注目するべく状況（満塁など）にある場合には、決定部３０７で決定される対決結果、すなわちヒット、アウトを決定する処理にも反映されるようにしている。これにより、ゲームをより興趣に富んだものとすることができる。
【００７３】
なお、画像表示制御部３０２は、投手側の表示画像と打者側との表示画像を同一のもの（仮想カメラの視点及び視線方向が一致）としてもよいが、本実施形態では、同一の事象を、それぞれに好ましい異なる視点位置から描画するようにし、それぞれのプレーヤに対するゲーム進行の視認性の向上を図っている。
【００７４】
単位シーケンス実行部３１０は、投手による投球からバッティング゛、さらにはバッティング゛結果に応じた一連の動作までの投手キャラクタ、野手キャラクタ、打者キャラクタ、走者キャラクタの動き、及びボールを模擬したボールキャラクタの動きを逐次算出し、その逐次の算出結果を逐一画像表示制御部３０２に導くものである。
【００７５】
単位シーケンス実行部３１０は前処理部３１１と後続処理部３１２とからなる。前処理部３１１は、決定部３０５での決定内容及びその際に用いたパラメータを用いて、モニタ３に表示された投手キャラクタによるボールキャラクタの投球動作前に処理結果を得るもので、プレーヤが投手側であるときは、投球コース、球速（投手パラメータ中の「球速」や「リリース」データなどを使用）、球種、投球されたボールの軌道、ホームベース上での通過位置の各データを演算し、プレーヤが打者側であるときは、バットスイング軌道、バットに当たるか否かの結果、及びバットに当たるとの結果を得たときの、バットに当たった瞬間の「打球速度」、「打球角度」及び「打球速度減衰率」のパラメータを演算する。各演算のうち、投球されたボールキャラクタ、バットスイングの軌道計算については、一般的な力学や空気抵抗を加味したものとしてもよいし、実際の運動に近い形のシミュレーション演算を利用してゲーム処理に要求される速度での処理で求めるものでもよい。
【００７６】
後続処理部３１２は、投球動作後に行わせる行動に対する処理であって、モニタ３上で、ボールキャラクタや走者キャラクタの動きから野手キャラクタに自然な守備動作を行わせ、ボールキャラクタや野手キャラクタの動きから走者キャラクタに自然な走塁動作を行わせ（以上は野球ルールに即した制御プログラムによる）、及びバットキャラクタとの当たり時のデータを元にボールキャラクタを移動させるための演算を実行する。更に、後続処理部３１２は、ボールキャラクタのホームベース上の通過位置とバットキャラクタのスイング位置とのずれ量や、両者のタイミングのずれ量に従って前処理部３１１で得た「打球速度」、「打球角度」及び「打球速度減衰率」の各パラメータを用いて、打撃後の打球速度、打球角度の算出を行う。この場合、「打球速度」、「打球角度」に対して乱数発生部３０８等を用いて打球の軌道にばらつきを与えることで、よりリアルさを醸し出すことができる。
【００７７】
後続処理部３１２は、上記の演算を所定の周期で繰り返し実行し、その結果を画像表示制御部３０２に導くことで、モニタ３上でボールキャラクタ、投手キャラクタ、打者キャラクタ、野手キャラクタ及び走者キャラクタの動きを動画的に表示して、よりリアルなシーケンス処理を実現している。
【００７８】
選手カード発行処理部３１３は、ゲーム終了を受けて、筐体１内部の選手カード収納部から所定の枚数、ここでは１枚だけ選手カードを選手カード発行口６に発行させる指示を行うものである。これにより、プレーヤはゲームを行う毎に、選手カードの枚数、種類を収集できる。
【００７９】
相手側作戦設定部３１４は、ＲＯＭ３００１内に、コンピュータで制御される、１チームを構成するに充分な数の選手キャラクタの画像及びそれらの各パラメータ（投手パラメータ、野手パラメータ）を備えた野球チームが予め準備されており、当該ゲーム装置１台のみで、プレーヤとの間でのＣＰＵ対戦を実現するためのもので、対決項目、采配項目の選択処理、属性のレベル、対決結果、シーケンスの実行処理を担うものである。この相手側作戦設定部３１４は、基本的には、相手プレーヤが存在することを仮想したように、対決項目設定部３０４、行動設定部３０５、通信処理部３０６、決定部３０７、乱数発生部３０８、ゲーム状況判断部３０９、単位シーケンス実行部３１０を自己装置内で同等に機能させ、かつ１つのモニタ上に画像表示させる処理を行うためのものである。
【００８０】
図８は、本ゲームの全体の流れを示すフローチャートである。まず、コインが投入されたか否かがコインセンサ８１で検出されると（ステップＳ１）、撮像部１１が起動し、載置面２０に選手カード９が所要枚数（野球ゲームでは９枚）が置かれたことを検知し、各選手カード９の選手識別データの読み取りを行う（ステップＳ３）。続いて、ゲームが開始されて、対戦相手のデータの交換を行い、次いで１人の打者キャラクタとの対決を行う１つのシーケンスの実行処理に移行する（ステップＳ５）。このシーケンスが終了する毎に、ゲーム終了か否かが判断され（ステップＳ７）、残りアウトカウントや残りイニングがあるときは、次の打者キャラクタとの対決を行うためのシーケンスが設定されてステップＳ３に戻る。ステップＳ７でゲーム終了であれば、ゲーム終了処理（ステップＳ１１）、例えばモニタ３上に優劣（勝敗）の提示等が行われた後、新たな選手カード９を１枚だけ発行する指示を発して、本フローを終了する。
【００８１】
図９は、図８のステップＳ５に示すシーケンス実行処理に含まれる、打席フローの手順を示すフローチャートである。まず、プレーヤが投手側である場合について説明する。なお、プレーヤが打者側の場合も基本的には同一であるので、投手の場合と異なる手順の部分についてのみ説明する。
【００８２】
先ず、直前のシーケンスで実行された投球、打撃処理（ワーク）に関するデータ及び乱数発生部３０８の初期化が行われ（ステップＳ２１）、次いで作戦設定表示処理と選択入力、すなわち対決項目の設定、設定された作戦項目のモニタ３へのボタン表示からボタン押下まで、あるいは采配項目のモニタ３へのボタン表示からボタン選択までの、いずれか一方の処理入力が行われると共に、プレーヤによる選択結果をそれぞれ受け付ける（ステップＳ２３）。この受付処理には、選手カード９の載置面２０上での位置データも含まれる。
【００８３】
図１０は、この作戦設定表示処理に含まれる、対決項目設定の手順を示すフローチャートである。シーケンスが開始され、図１２で「選手を呼ぶ」が選択されると、本フローに入り、この選択した旨の情報が相手のゲーム装置に通信されて、対応するように対決項目の表示が行われる。プレーヤが投手側であれば、前述した所定の投手パラメータを用いて、逆に打者側であれば、前述した所定の野手パラメータを用いて、投手キャラクタ及び打者キャラクタについての、各対決項目、及び当該対決項目に対する成功確率（サクセスレート）をそれぞれ算出する（ステップＳ５１）。これらの対決項目、及び当該対決項目に対する成功確率（サクセスレート）のそれぞれの算出は、お互いのゲーム装置内で打者側データ及び投手側データが同様に生成される。この結果を受けて、所定のルールに従って対決項目の数、種類を決定して、モニタ３に表示し（ステップＳ５３、図１３，図１４参照）、プレーヤの入力をガイドして待つ。そして、複数の対決項目からいずれのボタンが押下されたかを、対決項目の選択として受け取って（ステップＳ５５）、本フローを終了する。なお、例えば待ち時間内に少なくとも一方のボタンの押下がない場合には、制御部３００側で任意乃至は無作為に選択する処理を行う。
【００８４】
図９に戻って、次に、相手のゲーム装置に送信するためのデータである投球データが生成される（ステップＳ２５）。この投球データの相手側のゲーム装置への送信が行われる（ステップＳ２７）と共に、相手側のゲーム装置から送信される打撃データの受信が行われる（ステップＳ２９）。この送受信動作は、打撃フローの開始時点から所定の時間経過時に行うよう設定しておくことで、両ゲーム装置で同時的に互いに送受信できる。なお、互いに受信を割り込み処理可能な状態としておいて、データ作成後、直ちに互いに他方のゲーム装置にデータ送信する態様としてもよい。このように、お互いのデータ交換処理を行うことで、各ゲーム装置は、同一の投球データ及びバッティングデータ（打撃データ）を有することになる。しかも、両方で同じデータを持つことで両者の画像表示に遅れが生じることがなくなり、両者で違和感のない、またプレーヤにとって通信による優劣のないゲーム環境を提供することができる。
【００８５】
次いで、受信したバッティングデータをＲＡＭ３００２のワークエリアに保管し（ステップＳ３１）、投球データ及びバッティングデータ等を用いて決定部３０７によるヒッティング判定が行われる（ステップＳ３３）。このヒッティング判定では、対決モードの選択の有無を受けて、対決項目が選択された対決モードと、対決項目が選択されない通常モード（采配項目のみ選択される場合を含む）とで、以下のように分岐して処理が行われる。
【００８６】
図１１は、このヒッティング判定処理のフローチャートである。図１１においては、先ず、対決モードにおいて、対決項目の一致、不一致の判定が行われ（ステップＳ６１）、一致のときはステップＳ６３に進み、不一致のときはステップＳ６９に進む。
【００８７】
ステップＳ６３では、選択された対決項目に対する打者の成功確率（サクセスレート、すなわちミート率）がチェックされ、その成功確率が、乱数発生部３０８からの擬似乱数を用いての確率処理で成功か失敗か、すなわちサクセスレート判定が実行され（ステップＳ６５）、成功と判定されると、「ジャストミート」、すなわち「安打」と決定され（ステップＳ６７）、逆に失敗と判定されると、「空振り三振」と決定される（ステップＳ７３）。一方、ステップＳ６９では、選択された対決項目に対する投手の成功確率（サクセスレート）がチェックされ、その成功確率が、乱数発生部３０８からの擬似乱数を用いての確率処理で成功か失敗か、すなわちサクセスレート判定が実行され（ステップＳ７１）、成功と判定されると、「空振り三振」と決定され（ステップＳ７３）、逆に失敗と判定されると、「ジャストミート」、すなわち「安打」と決定される（ステップＳ６７）。
【００８８】
次に、通常モードの場合には、ヒッティング判定は、互いに交換された投手データ、打者データから投手側、打者側のサクセスレートを算出し、サクセスレートの優位な側の確率に対して、乱数発生部３０８からの擬似乱数を用いてヒットかアウトかの、いずれかが決定される。
【００８９】
図９に戻って、ステップＳ３５で、投球データを用いて投球軌道計算が実行され、次いで、この投球軌道計算で得たホームベース上の通過位置である「バッティングポイント」のワークエリアへのセット（保管）が行われる（ステップＳ３７）。続いて、投球軌道計算で得られた結果に従って、モニタ３上で投球動作及び投球処理である「投球」の画像の表示が行われ（ステップＳ３９）、続いて計算で得られた打撃結果となるスイングタイミング、打球方向、打球速度に従って、モニタ３上で打撃動作及び打球処理である「バッティング」の画像の表示が行われる（ステップＳ４１）。次いで、打撃結果を受けて、野手キャラクタの移動、走者キャラクタの移動、ボールキャラクタの移動が逐次計算され、モニタ３上に画像として表示される（ステップＳ４３）。
【００９０】
なお、プレーヤが打者側の場合には、ステップ＃２１からステップ＃４３の処理が、ステップＳ２１からステップＳ４３の各処理と同時的に実行される。なお、ステップ＃２７では、打撃データの送信が行われ、ステップ＃２９では投球データの受信が行われる。
【００９１】
なお、本発明は、以下の態様を採用することができる。
【００９２】
（１）選手カード９は、長方形に限らず、正方形、円形等、種々の形状のものが採用可能であり、適用されるゲームの種類に適した形状を採用してもよい。
【００９３】
（２）選手カードの載置面での載置位置の変更は、カード載置部２に対する前後方向の他、左右方向や斜め方向でもよく、あるいはこれらを合わせた態様としてもよい。このようにすれば、カード載置部の形状やゲーム種類に応じて適宜な載置位置変化を与えることができる。あるいは載置面２０の前後側に感圧センサを設け、選手カード９を介していずれのセンサが押圧を感知したかで、属性のレベルを変更する態様としてもよい。
【００９４】
（３）本実施形態では、１つのシーケンスを投手の投球の１球で処理する簡易型としたが、野球ルールに従って処理するゲームとしてもよい。
【００９５】
（４）本実施形態では、複数のシーケンスを連続させてゲームを構成したが、これに限定されず、ゲームの種類によっては、１つのシーケンスでゲームが構成される態様としてもよい。
【００９６】
（５）本実施形態では、対決項目の数、種類をいずれも可変としたが、数を固定としてもよく、また種類を固定としてもよく、さらに両者を固定としてもよい。
【００９７】
（６）本実施形態では、選手カードの裏面情報の検出用として撮像部１１を採用したが、これに限定されず、裏面情報がバーコードで表記されている場合にはバーコードリーダでもよく、その他種々の検知手段が採用可能である。
【００９８】
（７）本実施形態では、選手カードを動かす方式としたが、これに限定されず、選手カードを固定し、他の部材を、例えば選手カードを載置する部材を載置部２に対して移動式（スライダ機能付き）とし、この移動量を検出するようにしてもよい。
【００９９】
（８）ガイド部材としては、一対の突条体２１の他、載置及びスライド範囲に亘る部分をカード載置部２の上面に対して凹状としても、同様にガイドの補助機能を奏する。
【０１００】
（９）マーク９１，９２は赤外光を吸収する材料で表記された態様としてもよく、この場合、選手カード９を赤外光反射材で作成し、又は裏面に赤外光反射材でコーティングすればよく、かつ載置面２０を赤外光を半透過可能な材料としておけばよい。これによっても、材料が塗布されたマス目及び、材料が塗布されたマス目と塗布されていないマス目とを識別することが可能となる。
【０１０１】
（１０）１台のゲーム装置で１人のプレーヤが内蔵のコンピュータと対戦するＣＰＵ対戦では、相手側作戦設定部３１４によって、あたかも他のプレーヤと対戦しているかのような制御及び画像表示が行われるが、例えばステップＳ３３、ステップ＃３３でのヒッティング判定処理においては、選手カード９の載置位置情報は存在せず、また、プレーヤ側の操作情報が全て認識し得ている等の事情により、ＣＰＵ対戦特有の判定処理も含まれるため、このステップＳ３３、ステップ＃３３の処理に移行する際に、２台のゲーム装置による対戦であるかＣＰＵ対戦であるかで、処理を分岐してそれぞれ特有の手順を実行して、次ステップに進むようにしてもよい。
【０１０２】
（１１）選手カードにはキャラクタデータ（パラメータ）を格納する、アンテナとＩＣチップとからなるタグを内蔵する態様でもよい。この場合、筐体１の載置面の近傍にアンテナを備えたデータ読取器を備えれば、キャラクタデータを電波を介して読み取ることができる。これによれば、裏面のキャラクタデータのためのマーク９２を表記しなくても済む。
【０１０３】
（１２）本発明は、野球ゲームのようにプレーヤが２人の場合に限定されず、複数人がそれぞれのゲーム装置を用いて行うことも可能である。また、野球ゲームの他、各プレーヤが互いに関連し合う、例えば対抗する関係にある作戦を立て、それらが同時的に実行されるタイプの種々のゲームに適用可能である。例えば、アメリカンフットボール、相撲等に適用可能である。また、一般的なじゃんけんゲームのようなゲームにも適用でき、このようなゲームに対しても、互いの手の内を、作戦とか対決という用語を用いて表現することができる。
【図面の簡単な説明】
【０１０４】
【図１】本発明に係るゲーム装置の一実施形態を示す外観構成図である。
【図２】カード載置部の構成を示す斜視図の一例である。
【図３】選手カードの構成及び載置面との関係を説明するための図で，（ａ）は選手カードの構成と載置面との関係を示す斜視図、（ｂ）は選手カードの裏面の表記内容を示す図である。
【図４】ゲーム装置の側面断面図である。
【図５】ゲーム装置の正面図である。
【図６】制御基板部に内蔵される制御部と各部とのハードウェアを示すブロック図である。
【図７】制御部の機能を説明するブロック図である。
【図８】本ゲームの全体の流れを示すフローチャートである。
【図９】図８のステップＳ５に示すシーケンス実行処理に含まれる、打席フローの手順を示すフローチャートである。
【図１０】図８のステップＳ２３に示す作戦設定表示処理に含まれる、対決項目設定の手順を示すフローチャートである。
【図１１】図８のステップＳ３３に示すヒッティング判定処理のフローチャートである。
【図１２】作戦の選択をガイドするゲーム画像である。
【図１３】プレーヤが投手側のときの対決項目の選択をガイドするゲーム画像である。
【図１４】プレーヤが打者側のときの対決項目の選択をガイドするゲーム画像である。
【図１５】プレーヤが投手側のときの采配項目の選択をガイドするゲーム画像である。
【図１６】プレーヤが打者側のときの采配項目の選択をガイドするゲーム画像である。
【符号の説明】
【０１０５】
１  筐体
２  カード載置部
２０  載置面
２１  突条体
２０１  中央部
２０２  スライド部
３  モニタ
１３０  通信部
３００  制御部
３０１  ゲーム進行処理部
３００１  ＲＯＭ（各記憶部）
３０２  画像表示制御部
３０３  受付部
３０４  対決項目設定部
３０５  行動設定部
３０６  通信処理部
３０７  決定部
３０８  乱数発生部
３０９  状況判断部
３１０  単位シーケンス実行部
３１１  前処理部
３１２  後続処理部
３１３  選手カード発行処理部
３１４  相手側作戦設定部（相手処理手段）
９  選手カード
９１  位置検出用マーク
９２  キャラクタマーク  
１０  タッチパネル
１０Ａ  操作部
１１  撮像部（位置検出部）